(57)【要約】  共有ブロードキャストを介してエンドユーザにコンテンツを配信するための方法、装置、およびコンピュータ可読媒体が提供される。本装置は、ＭＢＭＳサービスを取得することを決定するＵＥであり得る。ＵＥは、ＵＥが加入者でない第１のＭＮＯと少なくとも１つの他のＭＮＯとによって共有されたキャリアを介してＭＢＭＳサービスを受信するために第１のＭＮＯによって与えられた周波数に同調する。ＵＥは、第１のＭＮＯと少なくとも１つの他のＭＮＯとによって共有されたキャリアを介して周波数上でＭＢＭＳサービスを受信する。共有キャリアは、第１のＭＮＯと少なくとも１つの他のＭＮＯとに関する共通のＳＦＮタイミングを有し得る。共有キャリアは、共有ＭＢＭＳ  ＳＤＬキャリアを含み得る。共有キャリアは、ＭＢＭＳサービスとＭＢＭＳサービスに関連する制御情報とを受信するためのスタンドアロン共有キャリアを含み得る。
2018522446.tif 000002
【特許請求の範囲】
【請求項１】
ユーザ機器（ＵＥ）のワイヤレス通信の方法であって、
マルチメディアブロードキャストマルチキャストサービス（ＭＢＭＳ）サービスを取得することを決定することと、
前記ＵＥが加入者でない第１の移動体通信事業者（ＭＮＯ）と少なくとも１つの他のＭＮＯとによって共有されたキャリアを介して前記ＭＢＭＳサービスを受信するために前記第１のＭＮＯによって与えられた周波数に同調することと、
前記第１のＭＮＯと前記少なくとも１つの他のＭＮＯとによって共有された前記キャリアを介して前記周波数上で前記ＭＢＭＳサービスを受信することと
を備える、方法。
【請求項２】
前記共有キャリアが、無認可キャリアまたは共有ＭＢＭＳ補助ダウンリンク（ＳＤＬ）キャリアのうちの少なくとも１つを備える、請求項１に記載の方法。
【請求項３】
前記第１のＭＮＯの１次セル（ＰＣｅｌｌ）を通して前記ＭＢＭＳサービスについての制御情報を受信すること、ここにおいて、前記ＭＢＭＳサービスが、前記第１のＭＮＯと前記少なくとも１つの他のＭＮＯとによって共有された２次セル（ＳＣｅｌｌ）を通して受信される、をさらに備える、請求項２に記載の方法。
【請求項４】
インターネットプロトコル（ＩＰ）接続を通して前記共有ＭＢＭＳ  ＳＤＬキャリアに関する情報を受信すること、ここにおいて、前記同調することと前記受信することとが、前記共有ＭＢＭＳ  ＳＤＬキャリアに関する前記受信された情報に基づく、を備える、請求項２に記載の方法。
【請求項５】
前記共有キャリアが、前記ＭＢＭＳサービスと前記ＭＢＭＳサービスに関連する制御情報とを受信するためのスタンドアロン共有キャリアまたは共有ＭＢＭＳ補助ダウンリンク（ＳＤＬ）キャリアのうちの少なくとも１つを備える、請求項１に記載の方法。
【請求項６】
前記スタンドアロン共有キャリアを介して１次同期信号（ＰＳＳ）と第２の同期信号（ＳＳＳ）とを前もって受信することなしに前記スタンドアロン共有キャリアを介してフレームタイミングとシステム情報ブロック（ＳＩＢ）とを受信することをさらに備える、請求項５に記載の方法。
【請求項７】
前記第１のＭＮＯとの制限付きユニキャスト通信を介して前記ＭＢＭＳサービスに関連する情報を受信すること、ここにおいて、前記ＭＢＭＳサービスが前記受信された情報に基づいて受信される、をさらに備える、請求項１に記載の方法。
【請求項８】
前記共有キャリアが、前記第１のＭＮＯと前記少なくとも１つの他のＭＮＯとによって実装されるマルチキャストブロードキャスト単一周波数ネットワーク（ＭＢＳＦＮ）を備える、請求項１に記載の方法。
【請求項９】
ワイヤレス通信の方法であって、
第１の移動体通信事業者（ＭＮＯ）と少なくとも１つの他のＭＮＯとによって共有されたキャリアを介して前記第１のＭＮＯによって与えられた周波数上でマルチメディアブロードキャストマルチキャストサービス（ＭＢＭＳ）サービスをプロビジョニングすることと、
前記ＭＢＭＳサービスを取得することについての制御情報を与えることと、
前記第１のＭＮＯと前記少なくとも１つの他のＭＮＯとによって共有された前記キャリアを介して前記周波数上で前記ＭＢＭＳサービスを提供することと
を備える、方法。
【請求項１０】
前記共有キャリアが、無認可キャリアまたは共有ＭＢＭＳ補助ダウンリンク（ＳＤＬ）キャリアのうちの少なくとも１つを備える、請求項９に記載の方法。
【請求項１１】
前記ＭＢＭＳサービスを取得することについての前記制御情報が、前記第１のＭＮＯの１次セル（ＰＣｅｌｌ）を通して与えられる、ここにおいて、前記ＭＢＭＳサービスが、前記第１のＭＮＯと前記少なくとも１つの他のＭＮＯとによって共有された２次セル（ＳＣｅｌｌ）を通して与えられる、請求項１０に記載の方法。
【請求項１２】
前記共有キャリアが、前記ＭＢＭＳサービスと前記ＭＢＭＳサービスに関連する前記制御情報とを与えるためのスタンドアロン共有キャリアまたは共有ＭＢＭＳ補助ダウンリンク（ＳＤＬ）キャリアのうちの少なくとも１つを備える、請求項９に記載の方法。
【請求項１３】
前記制御情報を与えることが、前記スタンドアロン共有キャリアを介して１次同期信号（ＰＳＳ）と第２の同期信号（ＳＳＳ）とを前もって送信することなしに前記スタンドアロン共有キャリアを介してフレームタイミングとシステム情報ブロック（ＳＩＢ）とを送信することを備える、請求項１２に記載の方法。
【請求項１４】
前記ＭＢＭＳサービスを前記プロビジョニングすることが、前記第１のＭＮＯによって与えられた制限付きユニキャスト通信を介して前記ＭＢＭＳサービスに関連する情報を与えることを備える、請求項９に記載の方法。
【請求項１５】
前記共有キャリアが、前記第１のＭＮＯと前記少なくとも１つの他のＭＮＯとによって実装されるマルチキャストブロードキャスト単一周波数ネットワーク（ＭＢＳＦＮ）を備える、請求項９に記載の方法。
【請求項１６】
ワイヤレス通信のための装置であって、前記装置がユーザ機器（ＵＥ）であり、
メモリと、
前記メモリに結合され、
マルチメディアブロードキャストマルチキャストサービス（ＭＢＭＳ）サービスを取得することを決定することと、
前記ＵＥが加入者でない第１の移動体通信事業者（ＭＮＯ）と少なくとも１つの他のＭＮＯとによって共有されたキャリアを介して前記ＭＢＭＳサービスを受信するために前記第１のＭＮＯによって与えられた周波数に同調することと、
前記第１のＭＮＯと前記少なくとも１つの他のＭＮＯとによって共有された前記キャリアを介して前記周波数上で前記ＭＢＭＳサービスを受信することと
を行うように構成された少なくとも１つのプロセッサと
を備える、装置。
【請求項１７】
前記共有キャリアが、無認可キャリアまたは共有ＭＢＭＳ補助ダウンリンク（ＳＤＬ）キャリアのうちの少なくとも１つを備える、請求項１６に記載の装置。
【請求項１８】
前記少なくとも１つのプロセッサが、前記第１のＭＮＯの１次セル（ＰＣｅｌｌ）を通して前記ＭＢＭＳサービスについての制御情報を受信すること、ここにおいて、前記ＭＢＭＳサービスが、前記第１のＭＮＯと前記少なくとも１つの他のＭＮＯとによって共有された２次セル（ＳＣｅｌｌ）を通して受信される、を行うようにさらに構成された、請求項１７に記載の装置。
【請求項１９】
前記少なくとも１つのプロセッサが、インターネットプロトコル（ＩＰ）接続を通して前記共有ＭＢＭＳ  ＳＤＬキャリアに関する情報を受信することを行うようにさらに構成され、ここにおいて、前記少なくとも１つのプロセッサが、前記共有ＭＢＭＳ  ＳＤＬキャリアに関する前記受信された情報に基づいて同調することと受信することとを行うように構成された、請求項１７に記載の装置。
【請求項２０】
前記共有キャリアが、前記ＭＢＭＳサービスと前記ＭＢＭＳサービスに関連する制御情報とを受信するための共有ＭＢＭＳ補助ダウンリンク（ＳＤＬ）キャリアまたはスタンドアロン共有キャリアのうちの少なくとも１つを備える、請求項１６に記載の装置。
【請求項２１】
前記少なくとも１つのプロセッサが、前記スタンドアロン共有キャリアを介して１次同期信号（ＰＳＳ）と第２の同期信号（ＳＳＳ）とを前もって受信することなしに前記スタンドアロン共有キャリアを介してフレームタイミングとシステム情報ブロック（ＳＩＢ）とを受信することを行うようにさらに構成された、請求項２０に記載の装置。
【請求項２２】
前記少なくとも１つのプロセッサが、前記第１のＭＮＯとの制限付きユニキャスト通信を介して前記ＭＢＭＳサービスに関連する情報を受信すること、ここにおいて、前記ＭＢＭＳサービスが前記受信された情報に基づいて受信される、を行うようにさらに構成された、請求項１６に記載の装置。
【請求項２３】
前記共有キャリアが、前記第１のＭＮＯと前記少なくとも１つの他のＭＮＯとによって実装されるマルチキャストブロードキャスト単一周波数ネットワーク（ＭＢＳＦＮ）を備える、請求項１６に記載の装置。
【請求項２４】
ワイヤレス通信のための装置であって、
メモリと、
前記メモリに結合され、
第１の移動体通信事業者（ＭＮＯ）と少なくとも１つの他のＭＮＯとによって共有されたキャリアを介して前記第１のＭＮＯによって与えられた周波数上でマルチメディアブロードキャストマルチキャストサービス（ＭＢＭＳ）サービスをプロビジョニングすることと、
前記ＭＢＭＳサービスを取得することについての制御情報を与えることと、
前記第１のＭＮＯと前記少なくとも１つの他のＭＮＯとによって共有された前記キャリアを介して前記周波数上で前記ＭＢＭＳサービスを提供することと
を行うように構成された少なくとも１つのプロセッサと
を備える、装置。
【請求項２５】
前記共有キャリアが、無認可キャリアまたは共有ＭＢＭＳ補助ダウンリンク（ＳＤＬ）キャリアのうちの少なくとも１つを備える、請求項２４に記載の装置。
【請求項２６】
前記ＭＢＭＳサービスを取得することについての前記制御情報が、前記第１のＭＮＯの１次セル（ＰＣｅｌｌ）を通して与えられ、ここにおいて、前記ＭＢＭＳサービスが、前記第１のＭＮＯと前記少なくとも１つの他のＭＮＯとによって共有された２次セル（ＳＣｅｌｌ）を通して与えられる、請求項２５に記載の装置。
【請求項２７】
前記共有キャリアが、前記ＭＢＭＳサービスと前記ＭＢＭＳサービスに関連する前記制御情報とを与えるための共有ＭＢＭＳ補助ダウンリンク（ＳＤＬ）キャリアまたはスタンドアロン共有キャリアのうちの少なくとも１つを備える、請求項２４に記載の装置。
【請求項２８】
前記制御情報を与えるために、前記少なくとも１つのプロセッサが、前記スタンドアロン共有キャリアを介して１次同期信号（ＰＳＳ）と第２の同期信号（ＳＳＳ）とを前もって送信することなしに前記スタンドアロン共有キャリアを介してフレームタイミングとシステム情報ブロック（ＳＩＢ）とを送信することを行うように構成された、請求項２７に記載の装置。
【請求項２９】
前記ＭＢＭＳサービスを確立するために、前記少なくとも１つのプロセッサが、前記第１のＭＮＯによって与えられた制限付きユニキャスト通信を介して前記ＭＢＭＳサービスに関連する情報を与えることを行うように構成された、請求項２４に記載の装置。
【請求項３０】
前記共有キャリアが、前記第１のＭＮＯと前記少なくとも１つの他のＭＮＯとによって実装されるマルチキャストブロードキャスト単一周波数ネットワーク（ＭＢＳＦＮ）を備える、請求項２４に記載の装置。
【発明の詳細な説明】
【技術分野】
【０００１】
関連出願の相互参照
[0001]本出願は、その全体が参照により本明細書に明確に組み込まれる、２０１５年５月１５日に出願された「ＳＨＡＲＥＤ  ＢＲＯＡＤＣＡＳＴ」と題する米国仮出願第６２／１６２，４９１号、および２０１６年３月１７日に出願された「ＳＨＡＲＥＤ  ＢＲＯＡＤＣＡＳＴ」と題する米国特許出願第１５／０７３，４１７号の利益を主張する。
【０００２】
[0002]本開示は、一般に、通信システムに関し、より詳細には、共有マルチメディアブロードキャストマルチキャストサービス（ＭＢＭＳ：Multimedia Broadcast Multicast Service）サービスに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格は、ロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、ダウンリンク上ではＯＦＤＭＡを使用し、アップリンク上ではＳＣ−ＦＤＭＡを使用し、多入力多出力（ＭＩＭＯ）アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増大し続けるにつれて、ＬＴＥ技術におけるさらなる改善が必要である。これらの改善はまた、他の多元接続技術、およびこれらの技術を採用する電気通信規格に適用可能であり得る。
【０００５】
[0005]従来、エンドユーザは、移動体通信事業者（ＭＮＯ：mobile network operator）が所有するキャリア上でコンテンツを受信するためにＭＮＯサブスクリプションを必要とする。ＭＮＯへのサブスクリプションなしに、エンドユーザは、ＭＮＯが所有するキャリア上でコンテンツを受信することが可能にならないことになる。
【発明の概要】
【０００６】
[0006]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後に提示されるより詳細な説明の導入として、１つまたは複数の態様のいくつかの概念を簡略化された形で提示することである。
【０００７】
[0007]本開示の一態様では、ワイヤレス通信のための方法、コンピュータ可読媒体、および装置が提供される。装置はＵＥであり得る。ＵＥは、ＭＢＭＳサービスを取得することを決定する。ＵＥは、ＵＥが加入者でない第１のＭＮＯと少なくとも１つの他のＭＮＯとによって共有されたキャリアを介してＭＢＭＳサービスを受信するために第１のＭＮＯによって与えられた周波数に同調する。ＵＥは、第１のＭＮＯと少なくとも１つの他のＭＮＯとによって共有されたキャリアを介して周波数上でＭＢＭＳサービスを受信する。
【０００８】
[0008]一構成では、共有キャリアは、共有ＭＢＭＳ  ＳＤＬキャリアを含む。ＵＥは、第１のＭＮＯのＰＣｅｌｌを通して（through）ＭＢＭＳサービスについての（for）制御情報をさらに受信する。ＭＢＭＳサービスは、第１のＭＮＯと少なくとも１つの他のＭＮＯとによって共有されたＳＣｅｌｌを通して受信される。ＵＥは、共有ＭＢＭＳ  ＳＤＬキャリアに関連する周波数と帯域幅とを示すＳＩＢを取得する。ＵＥは、取得されたＳＩＢに基づいて周波数に同調する（tunes to）。ＵＥは、ＳＣｅｌｌのためのＭＢＳＦＮサブフレームの割振り（allocation）を示すＳＩＢを取得する。ＭＢＭＳサービスは、取得されたＳＩＢ中の示されたＭＢＳＦＮサブフレームに基づいて受信される。ＵＥは、ＰＣｅｌｌとＳＣｅｌｌとの間の時間オフセットを示すＳＩＢを取得する。ＭＢＭＳサービスは、取得されたＳＩＢ中の示された時間オフセットに基づいて受信される。ＵＥは、ＰＣｅｌｌから共有ＭＢＭＳ  ＳＤＬキャリア上でＳＩＢ１３とＰＤＣＣＨ通知（notification）とを受信する。ＭＢＭＳサービスは、受信されたＳＩＢ１３とＰＤＣＣＨ通知とに基づいて受信される。
【０００９】
[0009]別の構成では、共有キャリアは、ＭＢＭＳサービスとＭＢＭＳサービスに関連する制御情報とを受信するためのスタンドアロン共有キャリアを含む。ＵＥは、スタンドアロン共有キャリアを介してＰＳＳとＳＳＳとを前もって受信することなしに（without having previously received）スタンドアロン共有キャリアを介してフレームタイミングとＳＩＢとを受信し得る。ＰＳＳとＳＳＳとを前もって受信することなしにフレームタイミングとＳＩＢとを受信するために、ＵＥは、ＭＢＳＦＮ  ＩＤを受信することと、ＳＩＢとＲＳとを受信することと（ＲＳは、ＭＢＳＦＮ  ＩＤに基づいてスクランブルされる）、受信されたＳＩＢとＲＳとに基づいてフレームタイミングを確立することと、フレームタイミングを確立するとＳＩＢを復号することとを行う。
【００１０】
[0010]一構成では、ワイヤレス通信のための装置が提供される。装置はＵＥであり得る。本装置は、ＭＢＭＳサービスを取得することを決定するための手段と、ＵＥが加入者でない第１のＭＮＯと少なくとも１つの他のＭＮＯとによって共有されたキャリアを介してＭＢＭＳサービスを受信するために第１のＭＮＯによって与えられた周波数に同調するための手段と、第１のＭＮＯと少なくとも１つの他のＭＮＯとによって共有されたキャリアを介して周波数上でＭＢＭＳサービスを受信するための手段とを含み得る。
【００１１】
[0011]一構成では、本装置は、第１のＭＮＯのＰＣｅｌｌを通してＭＢＭＳサービスについての制御情報を受信するための手段、ここにおいて、ＭＢＭＳサービスは、第１のＭＮＯと少なくとも１つの他のＭＮＯとによって共有されたＳＣｅｌｌを通して受信される、をさらに含み得る。一構成では、本装置は、共有ＭＢＭＳ  ＳＤＬキャリアに関連する周波数と帯域幅とを示すＳＩＢを取得するための手段をさらに含み得る。そのような構成では、同調するための手段は、取得されたＳＩＢに基づいて構成され得る。一構成では、本装置は、ＳＣｅｌｌのためのＭＢＳＦＮサブフレームの割振りを示すＳＩＢを取得するための手段をさらに含み得る。そのような構成では、ＭＢＭＳサービスは、取得されたＳＩＢ中の示されたＭＢＳＦＮサブフレームに基づいて受信され得る。一構成では、本装置は、ＰＣｅｌｌとＳＣｅｌｌとの間の時間オフセットを示すＳＩＢを取得するための手段をさらに含み得る。そのような構成では、ＭＢＭＳサービスは、取得されたＳＩＢ中の示された時間オフセットに基づいて受信され得る。一構成では、本装置は、ＰＣｅｌｌから共有ＭＢＭＳ  ＳＤＬキャリア上でＳＩＢ１３とＰＤＣＣＨ通知とを受信するための手段をさらに含み得る。そのような構成では、ＭＢＭＳサービスは、受信されたＳＩＢ１３とＰＤＣＣＨ通知とに基づいて受信され得る。一構成では、本装置は、インターネットプロトコル（ＩＰ）接続を通して共有ＭＢＭＳ  ＳＤＬキャリアに関する情報を受信するための手段をさらに含み得る。そのような構成では、同調するための手段と受信するための手段とが、共有ＭＢＭＳ  ＳＤＬキャリアに関する受信された情報に基づいて構成される。
【００１２】
[0012]一構成では、本装置は、スタンドアロン共有キャリアを介してＰＳＳとＳＳＳとを前もって受信することなしにスタンドアロン共有キャリアを介してフレームタイミングとＳＩＢとを受信するための手段をさらに含み得る。一構成では、ＰＳＳとＳＳＳとを前もって受信することなしにフレームタイミングとＳＩＢとを受信するための手段は、ＭＢＳＦＮ  ＩＤを受信することと、ＭＢＳＦＮサブフレーム中でスタンドアロン共有キャリアを介してＳＩＢと基準信号（ＲＳ）とを受信することと、ＲＳは、ＭＢＳＦＮ  ＩＤに基づいてスクランブルされる、受信されたＳＩＢとＲＳとに基づいてフレームタイミングを確立することと、フレームタイミングを確立するとＳＩＢを復号することとを行うように構成され得る。一構成では、ＰＳＳとＳＳＳとを前もって受信することなしにフレームタイミングとＳＩＢとを受信するための手段は、ＭＢＳＦＮサブフレーム中でスタンドアロン共有キャリアを介してＳＩＢとＲＳとを受信することと、ＲＳは、ＭＢＳＦＮ  ＩＤに基づいてスクランブルされる、異なるＭＢＳＦＮ  ＩＤ仮説を用いて受信されたＳＩＢとＲＳとに基づいてフレームタイミングを確立することと、フレームタイミングを確立するとＳＩＢと検出するＭＢＳＦＮ  ＩＤとを復号することとを行うように構成され得る。
【００１３】
[0013]一構成では、本装置は、第１のＭＮＯとの制限付きユニキャスト通信を介してＭＢＭＳサービスに関連する情報を受信するための手段をさらに含み得る。そのような構成では、ＭＢＭＳサービスは、受信された情報に基づいて受信され得る。
【００１４】
[0014]一構成では、ワイヤレス通信のためのコンピュータ実行可能コードを記憶するコンピュータ可読媒体が提供される。本コンピュータ可読媒体は、ＭＢＭＳサービスを取得することを決定することと、ＵＥが加入者でない第１のＭＮＯと少なくとも１つの他のＭＮＯとによって共有されたキャリアを介してＭＢＭＳサービスを受信するために第１のＭＮＯによって与えられた周波数に同調することと、第１のＭＮＯと少なくとも１つの他のＭＮＯとによって共有されたキャリアを介して周波数上でＭＢＭＳサービスを受信することとを行うためのコードを含み得る。
【００１５】
[0015]本開示の一態様では、ワイヤレス通信のための方法、コンピュータプログラム製品、および装置が提供される。本装置は、基地局であり得る。基地局は、第１のＭＮＯと少なくとも１つの他のＭＮＯとによって共有されたキャリアを介して第１のＭＮＯによって与えられた周波数上でＭＢＭＳサービスをプロビジョニングする。基地局は、ＭＢＭＳサービスを取得することについての制御情報を与える。基地局は、第１のＭＮＯと少なくとも１つの他のＭＮＯとによって共有されたキャリアを介して周波数上でＭＢＭＳサービスを提供する。
【００１６】
[0016]一構成では、ワイヤレス通信のための装置が提供される。本装置は、第１のＭＮＯと少なくとも１つの他のＭＮＯとによって共有されたキャリアを介して第１のＭＮＯによって与えられた周波数上でＭＢＭＳサービスをプロビジョニングするための手段と、ＭＢＭＳサービスを取得することについての制御情報を与えるための手段と、第１のＭＮＯと少なくとも１つの他のＭＮＯとによって共有されたキャリアを介して周波数上でＭＢＭＳサービスを提供するための手段とを含み得る。一構成では、制御情報を与えるための手段は、共有ＭＢＭＳ  ＳＤＬキャリアに関連する周波数と帯域幅とを示すＳＩＢを送信するように構成され得る。
【００１７】
[0017]一構成では、制御情報を与えるための手段は、ＳＣｅｌｌのためのＭＢＳＦＮサブフレームの割振りを示すＳＩＢを送信するように構成され得る。そのような構成では、ＭＢＭＳサービスは、送信されたＳＩＢ中の示されたＭＢＳＦＮサブフレームに基づいて提供され得る。一構成では、制御情報を与えるための手段は、ＰＣｅｌｌとＳＣｅｌｌとの間の時間オフセットを示すＳＩＢを送信するように構成され得る。そのような構成では、ＭＢＭＳサービスは、送信されたＳＩＢ中の示された時間オフセットに基づいて提供され得る。一構成では、制御情報を与えるための手段は、ＰＣｅｌｌを通して共有ＭＢＭＳ  ＳＤＬキャリア上でＳＩＢ１３とＰＤＣＣＨ通知とを送信するように構成され得る。そのような構成では、ＭＢＭＳサービスは、送信されたＳＩＢ１３とＰＤＣＣＨ通知とに基づいて提供され得る。
【００１８】
[0018]一構成では、制御情報を与えるための手段は、スタンドアロン共有キャリアを介してＰＳＳとＳＳＳとを前もって送信することなしにスタンドアロン共有キャリアを介してフレームタイミングとＳＩＢとを送信するように構成され得る。一構成では、ＰＳＳとＳＳＳとを前もって送信することなしにフレームタイミングとＳＩＢとを送信するための手段は、ＭＢＳＦＮ  ＩＤを受信することと、固定フェームタイミングに対してＭＢＳＦＮサブフレーム中でスタンドアロン共有キャリアを介して、ＳＩＢとＲＳとを周期的に送信することと、ＲＳは、ＭＢＳＦＮ  ＩＤに基づいてスクランブルされる、を行うように構成され得る。
【００１９】
[0019]一構成では、ＭＢＭＳサービスをプロビジョニングするための手段は、第１のＭＮＯによって与えられた制限付きユニキャスト通信を介してＭＢＭＳサービスに関連する情報を与えるように構成され得る。一構成では、本装置は、ＵＥからＭＢＭＳサービスについての要求を受信するための手段をさらに含み得る。そのような構成では、ＵＥは、第１のＭＮＯの加入者ではない。
【００２０】
[0020]一構成では、ワイヤレス通信のためのコンピュータ実行可能コードを記憶するコンピュータ可読媒体が提供される。本コンピュータ可読媒体は、第１のＭＮＯと少なくとも１つの他のＭＮＯとによって共有されたキャリアを介して第１のＭＮＯによって与えられた周波数上でＭＢＭＳサービスをプロビジョニングすることと、ＭＢＭＳサービスを取得することについての制御情報を与えることと、第１のＭＮＯと少なくとも１つの他のＭＮＯとによって共有されたキャリアを介して周波数上でＭＢＭＳサービスを提供することとを行うためのコードを含み得る。
【００２１】
[0021]上記および関係する目的を達成するために、１つまたは複数の態様は、以下で十分に説明し、特に特許請求の範囲で指摘される特徴を備える。以下の説明および添付の図面は、１つまたは複数の態様のうちのいくつかの例示的な特徴を詳細に記載する。しかしながら、これらの特徴は、様々な態様の原理が採用され得る様々な方法のほんのいくつかを示すものであり、この説明は、すべてのそのような態様とそれらの均等物とを含むものである。
【図面の簡単な説明】
【００２２】
【図１】[0022]ワイヤレス通信システムおよびアクセスネットワークの一例を示す図。
【図２Ａ】[0023]ＤＬフレーム構造のＬＴＥ例（LTE examples）を示す図。
【図２Ｂ】ＤＬフレーム構造内のＤＬチャネルのＬＴＥ例を示す図。
【図２Ｃ】ＵＬフレーム構造のＬＴＥ例を示す図。
【図２Ｄ】ＵＬフレーム構造内のＵＬチャネルのＬＴＥ例を示す図。
【図３】[0024]アクセスネットワーク中の発展型ノードＢ（ｅＮＢ）およびユーザ機器（ＵＥ）の一例を示す図。
【図４Ａ】[0025]アクセスネットワーク中のマルチキャストブロードキャスト単一周波数ネットワークエリアの一例を示す図。
【図４Ｂ】[0026]マルチキャストブロードキャスト単一周波数ネットワーク中の発展型マルチメディアブロードキャストマルチキャストサービスチャネル構成の一例を示す図。
【図４Ｃ】[0027]マルチキャストチャネル（ＭＣＨ）スケジューリング情報（ＭＳＩ）媒体アクセス制御の制御要素（Multicast Channel (MCH) Scheduling Information (MSI) Medium Access Control control element）のフォーマットを示す図。
【図５Ａ】[0028]連続キャリアアグリゲーションの一例を示す図。
【図５Ｂ】[0029]非連続キャリアアグリゲーションの一例を示す図。
【図６Ａ】[0030]２次セルとして共有キャリアを使用する共有ブロードキャストネットワークの一例を示す図。
【図６Ｂ】[0031]スタンドアロン１次セルとして共有キャリアを使用する共有ブロードキャストネットワークの一例を示す図。
【図７】[0032]共有ブロードキャストネットワークを通したブロードキャストＴＶまたはモバイルＨＤＴＶの一例を示す図。
【図８】[0033]共有ブロードキャストネットワークアーキテクチャの一例を示す図。
【図９】[0034]共有ブロードキャストネットワークのための従来の（traditional）マルチメディアブロードキャストマルチキャストサービスアーキテクチャおよびサービスレイヤを活用すること（leveraging）の一例を示す図。
【図１０】[0035]従来のマルチメディアブロードキャストマルチキャストサービスアーキテクチャおよびサービスレイヤが共有ブロードキャストネットワークのためにどのように活用され得るのかの別の例を示す図。
【図１１】[0036]共有ブロードキャストネットワークアーキテクチャの一例を示す図。
【図１２】[0037]共有ブロードキャストネットワークアーキテクチャの一例を示す図。
【図１３】[0038]共有ブロードキャストネットワークアーキテクチャの一例を示す図。
【図１４】[0039]ＭＳＩ  ＭＡＣ制御要素の一例を示す図およびＭＳＩ  ＭＡＣ制御要素内の論理チャネルｉｄフィールド（logical channel id field）の可能な値を示す表。
【図１５】[0040]ワイヤレス通信の方法のフローチャート。
【図１６】[0041]ワイヤレス通信の方法のフローチャート。
【図１７】[0042]アプリケーションオンラインプロビジョニング（provisioning）のための３ＧＰＰ制限付きアクセスを示す例示的な流れ図。
【図１８】[0043]アプリケーションオンラインプロビジョニングのために３ＧＰＰ制限付きアクセスを使用するワイヤレス通信の方法のフローチャート。
【図１９】[0044]例示的な装置中の異なるモジュール／手段／構成要素間のデータフローを示す概念データフロー図。
【図２０】[0045]処理システムを採用する装置のためのハードウェア実装形態の一例を示す図。
【図２１】[0046]ワイヤレス通信の方法のフローチャート。
【図２２】[0047]例示的な装置中の異なるモジュール／手段／構成要素間のデータフローを示す概念データフロー図。
【図２３】[0048]処理システムを採用する装置のためのハードウェア実装形態の一例を示す図。
【発明を実施するための形態】
【００２３】
[0049]添付の図面に関して以下に記載される詳細な説明は、様々な構成を説明するものであり、本明細書で説明する概念が実施され得る構成のみを表すものではない。発明を実施するための形態は、様々な概念を完全に理解することを目的とする具体的な詳細を含む。しかしながら、これらの概念がこれらの具体的な詳細なしに実践され得ることが当業者に明らかであろう。いくつかの事例では、そのような概念を不明瞭にしないように、よく知られている構造および構成要素がブロック図の形式で示される。
【００２４】
[0050]次に、様々な装置および方法に関して電気通信システムのいくつかの態様が提示される。これらの装置および方法は、以下の発明を実施するための形態において説明され、（「要素」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課される設計制約に依存する。
【００２５】
[0051]例として、要素、または要素の任意の部分、または要素の任意の組合せは、１つまたは複数のプロセッサを含む「処理システム」として実装され得る。プロセッサの例としては、マイクロプロセッサ、マイクロコントローラ、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２６】
[0052]したがって、１つまたは複数の例示的な実施形態では、説明する機能は、ハードウェア、ソフトウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００２７】
[0053]図１は、ワイヤレス通信システムおよびアクセスネットワーク１００の一例を示す図である。（ワイヤレスワイドエリアネットワーク（ＷＷＡＮ）とも呼ばれる）ワイヤレス通信システムは、基地局１０２と、ＵＥ１０４と、発展型パケットコア（ＥＰＣ）１６０とを含む。基地局１０２は、マクロセル（高電力セルラー基地局）および／またはスモールセル（低電力セルラー基地局）を含み得る。マクロセルはｅＮＢを含む。スモールセルは、フェムトセル、ピコセル、およびマイクロセルを含む。
【００２８】
[0054]（発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク１３２（たとえば、Ｓ１インターフェース）を通してＥＰＣ１６０とインターフェースする。他の機能に加えて、基地局１０２は、以下の機能、すなわち、ユーザデータの転送と、無線チャネル暗号化および解読と、完全性保護と、ヘッダ圧縮と、モビリティ制御機能（たとえば、ハンドオーバ、デュアル接続性）と、セル間干渉協調と、接続セットアップおよび解放と、負荷分散と、非アクセス層（ＮＡＳ：non-access stratum）メッセージのための配信と、ＮＡＳノード選択と、同期と、無線アクセスネットワーク（ＲＡＮ：radio access network）共有と、マルチメディアブロードキャストマルチキャストサービス（ＭＢＭＳ）と、加入者および機器トレースと、ＲＡＮ情報管理（ＲＩＭ：RAN information management）と、ページングと、測位と、警告メッセージの配信とのうちの１つまたは複数を実行し得る。基地局１０２は、バックホールリンク１３４（たとえば、Ｘ２インターフェース）上で互いと直接または間接的に（たとえば、ＥＰＣ１６０を通して）通信し得る。バックホールリンク１３４はワイヤードまたはワイヤレスであり得る。
【００２９】
[0055]基地局１０２はＵＥ１０４とワイヤレス通信し得る。基地局１０２の各々は、それぞれの地理的カバレージエリア１１０に通信カバレージを与え得る。重複する地理的カバレージエリア１１０があり得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークが、異種ネットワークとして知られ得る。異種ネットワークはまた、限定加入者グループ（ＣＳＧ）として知られる限られたグループにサービスを提供し得るホーム発展型ノードＢ（ｅＮＢ）（ＨｅＮＢ）を含み得る。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを通したものであり得る。基地局１０２／ＵＥ１０４は、各方向において送信のために使用される最高合計Ｙｘ  ＭＨｚ（ｘ個のコンポーネントキャリア）のキャリアアグリゲーションにおいて割り振られた、キャリアごとの最高Ｙ  ＭＨｚ（たとえば、５、１０、１５、２０ＭＨｚ）帯域幅のスペクトルを使用し得る。キャリアは、互いに隣接することも隣接しないこともある。キャリアの割振りは、ＤＬとＵＬとに対して非対称であり得る（たとえば、ＤＬの場合、ＵＬの場合よりも多いまたは少ないキャリアが割り振られ得る）。コンポーネントキャリアは、１次コンポーネントキャリアと、１つまたは複数の２次コンポーネントキャリアとを含み得る。１次コンポーネントキャリアは１次セル（ＰＣｅｌｌ）と呼ばれることがあり、２次コンポーネントキャリアは２次セル（ＳＣｅｌｌ）と呼ばれることがある。
【００３０】
[0056]ワイヤレス通信システムは、５ＧＨｚ無認可周波数スペクトル中で通信リンク１５４を介してＷｉ−Ｆｉ（登録商標）局（ＳＴＡ）１５２と通信しているＷｉ−Ｆｉアクセスポイント（ＡＰ）１５０をさらに含み得る。無認可周波数スペクトル中で通信するとき、ＳＴＡ１５２／ＡＰ１５０は、チャネルが利用可能であるのかどうかを決定するために、通信するより前にクリアチャネルアセスメント（ＣＣＡ）を実行し得る。
【００３１】
[0057]スモールセル１０２’は、認可および／または無認可周波数スペクトル中で動作し得る。無認可周波数スペクトル中で動作しているとき、スモールセル１０２’は、ＬＴＥを採用し、Ｗｉ−Ｆｉ  ＡＰ１５０によって使用されるのと同じ５ＧＨｚ無認可周波数スペクトルを使用し得る。無認可周波数スペクトル中でＬＴＥを採用するスモールセル１０２’は、アクセスネットワークへのカバレージをブーストし、および／またはアクセスネットワークの容量を増加させ得る。無認可スペクトル中のＬＴＥは、ＬＴＥ無認可（ＬＴＥ−Ｕ：LTE-unlicensed）、認可支援アクセス（ＬＡＡ：licensed assisted access）、またはＭｕＬＴＥｆｉｒｅと呼ばれることがある。
【００３２】
[0058]ＥＰＣ１６０は、モビリティ管理エンティティ（ＭＭＥ：Ｍｏｂｉｌｉｔｙ  Ｍａｎａｇｅｍｅｎｔ  Ｅｎｔｉｔｙ）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンター（ＢＭ−ＳＣ：Ｂｒｏａｄｃａｓｔ  Ｍｕｌｔｉｃａｓｔ  Ｓｅｒｖｉｃｅ  Ｃｅｎｔｅｒ）１７０と、パケットデータネットワーク（ＰＤＮ：Ｐａｃｋｅｔ  Ｄａｔａ  Ｎｅｔｗｏｒｋ）ゲートウェイ１７２とを含み得る。ＭＭＥ１６２はホーム加入者サーバ（ＨＳＳ：Home Subscriber Server）１７４と通信していることがある。ＭＭＥ１６２は、ＵＥ１０４とＥＰＣ１６０との間のシグナリングを処理する制御ノードである。概して、ＭＭＥ１６２はベアラおよび接続管理を行う。すべてのユーザインターネットプロトコル（ＩＰ）パケットはサービングゲートウェイ１６６を通して転送され、サービングゲートウェイ１６６自体はＰＤＮゲートウェイ１７２に接続される。ＰＤＮゲートウェイ１７２は、ＵＥのＩＰアドレス割振りならびに他の機能を提供する。ＰＤＮゲートウェイ１７２とＢＭ−ＳＣ１７０とはＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１７０は、ＭＢＭＳユーザサービスのプロビジョニングおよび配信のための機能を提供することができる。ＢＭ−ＳＣ１７０は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用され得、セッション管理（開始／停止）と、ｅＭＢＭＳ関係の課金情報を収集することとを担当し得る。
【００３３】
[0059]基地局は、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。基地局１０２は、ＵＥ１０４にＥＰＣ１６０へのアクセスポイントを提供する。ＵＥ１０４の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスがある。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれることもある。
【００３４】
[0060]再び図１を参照すると、いくつかの態様では、ＵＥ１０４／基地局１０２は、共有ブロードキャストを介してエンドユーザにコンテンツを配信する（１９８）ように構成され得る。１９８において実行される動作の詳細について、図６〜図２３を参照しながら以下で説明する。
【００３５】
[0061]図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有し得る。ＬＴＥでは、フレーム（１０ｍｓ）は、１０個の等しいサイズのサブフレームに分割され得る。各サブフレームは、２つの連続するタイムスロットを含み得る。２つのタイムスロットを表すためにリソースグリッドが使用され得、各タイムスロットは、１つまたは複数の（物理ＲＢ（ＰＲＢ）とも呼ばれる）時間並列リソースブロック（ＲＢ）を含む。リソースグリッドは複数のリソース要素（ＲＥ）に分割される。ＬＴＥでは、ノーマルサイクリックプレフィックスの場合、ＲＢは、合計８４個のＲＥについて、周波数領域中に１２個の連続するサブキャリアを含んでおり、時間領域中に７つの連続するシンボル（ＤＬの場合、ＯＦＤＭシンボル、ＵＬの場合、ＳＣ−ＦＤＭＡシンボル）を含んでいる。拡張サイクリックプレフィックスの場合、ＲＢは、合計７２個のＲＥについて、周波数領域内に１２個の連続するサブキャリアを含んでおり、時間領域内に６個の連続するシンボルを含んでいる。各ＲＥによって搬送されるビット数は変調方式に依存する。
【００３６】
[0062]図２Ａに示されているように、ＲＥのうちのいくつかが、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ：cell-specific reference signal）と、ＵＥ固有基準信号（ＵＥ−ＲＳ：UE-specific reference signal）と、チャネル状態情報基準信号（ＣＳＩ−ＲＳ：channel state information reference signal）とを含み得る。図２Ａは、（それぞれ、Ｒ0、Ｒ1、Ｒ2、およびＲ3として示される）アンテナポート０、１、２、および３のためのＣＲＳと、（Ｒ5として示される）アンテナポート５のためのＵＥ−ＲＳと、（Ｒとして示される）アンテナポート１５のためのＣＳＩ−ＲＳとを示す。図２Ｂは、フレームのＤＬサブフレーム内の様々なチャネルの一例を示す。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するのか、２つのシンボルを占有するのか、３つのシンボルを占有するのかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でダウンリンク制御情報（ＤＣＩ）を搬送し、各ＣＣＥは９つのＲＥグループ（ＲＥＧ）を含み、各ＲＥＧはＯＦＤＭシンボル内に４つの連続するＲＥを含む。ＵＥは、ＤＣＩも搬送するＵＥ固有拡張ＰＤＣＣＨ（ｅＰＤＣＣＨ）で構成され得る。ｅＰＤＣＣＨは、２つ、４つ、または８つのＲＢペアを有し得る（図２Ｂは２つのＲＢペアを示し、各サブセットは１つのＲＢペアを含む）。物理ハイブリッド自動再送要求（ＡＲＱ）（ＨＡＲＱ）インジケータチャネル（ＰＨＩＣＨ）もスロット０のシンボル０内にあり、物理アップリンク共有チャネル（ＰＵＳＣＨ）に基づいてＨＡＲＱ肯定応答（ＡＣＫ）／否定ＡＣＫ（ＮＡＣＫ）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別情報グループ番号を決定するためにＵＥによって使用される２次同期信号（ＳＳＳ）を搬送する。物理レイヤ識別情報および物理レイヤセル識別情報グループ番号に基づいて、ＵＥは、物理セル識別子（ＰＣＩ）を決定することができる。ＰＣＩに基づいて、ＵＥは、前述されたＤＬ−ＲＳの位置を決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅内のＲＢの数と、ＰＨＩＣＨ構成と、システムフレーム番号（ＳＦＮ）とを提供する。物理ダウンリンク共有チャネル（ＰＤＳＣＨ：physical downlink shared channel）は、ユーザデータと、��ステム情報ブロック（ＳＩＢ：system information block）などのＰＢＣＨを通して送信されないブロードキャストシステム情報と、ページングメッセージとを搬送する。
【００３７】
[0063]図２Ｃに示されているように、ＲＥのうちのいくつかが、ｅＮＢにおけるチャネル推定のための復調基準信号（ＤＭ−ＲＳ）を搬送する。ＵＥは、サブフレームの最後のシンボル中でサウンディング基準信号（ＳＲＳ：sounding reference signal）をさらに送信し得る。ＳＲＳはコム（comb）構造を有し得、ＵＥは、コムのうちの１つ上でＳＲＳを送信し得る。ＳＲＳは、ｅＮＢによって、ＵＬ上での周波数依存スケジューリングを可能にするために、チャネル品質推定のために使用され得る。図２Ｄは、フレームのＵＬサブフレーム内の様々なチャネルの一例を示す。物理ランダムアクセスチャネル（ＰＲＡＣＨ：physical random access channel）が、ＰＲＡＣＨ構成に基づいてフレーム内の１つまたは複数のサブフレーム内にあり得る。ＰＲＡＣＨは、サブフレーム内に６つの連続するＲＢペアを含み得る。ＰＲＡＣＨにより、ＵＥが初期システムアクセスを実行し、ＵＬ同期を実現することが可能になる。物理アップリンク制御チャネル（ＰＵＣＣＨ：physical uplink control channel）が、ＵＬシステム帯域幅のエッジ上に位置し得る。ＰＵＣＣＨは、スケジューリング要求、チャネル品質インジケータ（ＣＱＩ：channel quality indicator）、プリコーディング行列インジケータ（ＰＭＩ：precoding matrix indicator）、ランクインジケータ（ＲＩ：rank indicator）、およびＨＡＲＱ  ＡＣＫ／ＮＡＣＫフィードバックなど、アップリンク制御情報（ＵＣＩ）を搬送する。ＰＵＳＣＨは、データを搬送し、バッファステータス報告（ＢＳＲ）、パワーヘッドルーム報告（ＰＨＲ）、および／またはＵＣＩを搬送するためにさらに使用され得る。
【００３８】
[0064]図３は、アクセスネットワーク中でＵＥ３５０と通信しているｅＮＢ３１０のブロック図である。ＤＬでは、ＥＰＣ１６０からのＩＰパケットがコントローラ／プロセッサ３７５に与えられ得る。コントローラ／プロセッサ３７５はレイヤ３およびレイヤ２機能を実装する。レイヤ３は無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティングと、ＲＲＣ接続制御（たとえば、ＲＲＣ接続ページング、ＲＲＣ接続確立、ＲＲＣ接続変更、およびＲＲＣ接続解放）と、無線アクセス技術（ＲＡＴ）間モビリティと、ＵＥ測定報告のための測定構成とに関連するＲＲＣレイヤ機能、ならびにヘッダ圧縮／解凍と、セキュリティ（暗号化、解読、完全性保護、完全性検証）と、ハンドオーバサポート機能とに関連するＰＤＣＰレイヤ機能、ならびに上位レイヤパケットデータユニット（ＰＤＵ）の転送と、ＡＲＱを介した誤り訂正と、ＲＬＣサービスデータユニット（ＳＤＵ）の連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、トランスポートブロック（ＴＢ）上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００３９】
[0065]送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、Ｍ値直交振幅変調（Ｍ−ＱＡＭ：M-quadrature amplitude modulation））に基づく信号コンスタレーションへのマッピングを扱う。コーディングされ変調されたシンボルは、次いで、並列ストリームに分割され得る。各ストリームは、次いで、時間領域ＯＦＤＭシンボルストリームを搬送する物理チャネルを生成するために、ＯＦＤＭサブキャリアにマッピングされ、時間領域および／または周波数領域内で基準信号（たとえば、パイロット）と多重化され、次いで、逆高速フーリエ変換（ＩＦＦＴ）を使用して一緒に合成され得る。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００４０】
[0066]ＵＥ３５０において、各受信機３５４ＲＸは、そのそれぞれのアンテナ３５２を通して信号を受信する。各受信機３５４ＲＸは、ＲＦキャリア上で変調された情報を復元し、受信（ＲＸ）プロセッサ３５６に情報を供給する。ＴＸプロセッサ３６８およびＲＸプロセッサ３５６は、様々な信号処理機能に関連付けられたレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。次いで、ＲＸプロセッサ３５６は、高速フーリエ変換（ＦＦＴ）を使用して、ＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルおよび基準信号は、ｅＮＢ３１０によって送信される、可能性が最も高い信号のコンスタレーションポイントを決定することによって復元および復調される。これらの軟判定は、チャネル推定器３５８によって計算されるチャネル推定値に基づき得る。軟判定は、次いで、物理チャネル上でｅＮＢ３１０によって最初に送信されたデータと制御信号とを復元するために復号およびデインターリーブされる。データおよび制御信号は、次いで、レイヤ３およびレイヤ２機能を実装するコントローラ／プロセッサ３５９に供給される。
【００４１】
[0067]コントローラ／プロセッサ３５９は、プログラムコードとデータとを記憶するメモリ３６０に関連付けられ得る。メモリ３６０は、コンピュータ可読媒体と呼ばれることがある。ＵＬでは、コントローラ／プロセッサ３５９は、ＥＰＣ１６０からのＩＰパケットを復元するために、トランスポートチャネルと論理チャネルとの間の逆多重化と、パケットリアセンブリと、解読と、ヘッダ解凍と、制御信号処理とを提供する。コントローラ／プロセッサ３５９はまた、ＨＡＲＱ動作をサポートするためにＡＣＫおよび／またはＮＡＣＫプロトコルを使用する誤り検出を担当する。
【００４２】
[0068]ｅＮＢ３１０によるＤＬ送信に関して説明した機能と同様に、コントローラ／プロセッサ３５９は、システム情報（たとえば、ＭＩＢ、ＳＩＢ）獲得と、ＲＲＣ接続と、測定報告とに関連するＲＲＣレイヤ機能、ならびにヘッダ圧縮／解凍と、セキュリティ（暗号化、解読、完全性保護、完全性検証）とに関連するＰＤＣＰレイヤ機能、ならびに上位レイヤＰＤＵの転送と、ＡＲＱを介した誤り訂正と、ＲＬＣ  ＳＤＵの連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、ＴＢ上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００４３】
[0069]ｅＮＢ３１０によって送信される基準信号またはフィードバックからの、チャネル推定器３５８によって導出されるチャネル推定値は、適切なコーディングおよび変調方式を選択することと、空間処理を容易にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００４４】
[0070]ＵＬ送信は、ＵＥ３５０における受信機機能に関して説明した方式と同様の方式で、ｅＮＢ３１０において処理される。各受信機３１８ＲＸは、そのそれぞれのアンテナ３２０を通して信号を受信する。各受信機３１８ＲＸは、ＲＦキャリア上に変調された情報を復元し、ＲＸプロセッサ３７０に情報を供給する。
【００４５】
[0071]コントローラ／プロセッサ３７５は、プログラムコードとデータとを記憶するメモリ３７６に関連付けられ得る。メモリ３７６は、コンピュータ可読媒体と呼ばれることがある。ＵＬでは、コントローラ／プロセッサ３７５は、ＵＥ３５０からのＩＰパケットを復元するために、トランスポートチャネルと論理チャネルとの間の逆多重化と、パケットリアセンブリと、解読と、ヘッダ解凍と、制御信号処理とを提供する。コントローラ／プロセッサ３７５からのＩＰパケットは、ＥＰＣ１６０に与えられ得る。コントローラ／プロセッサ３７５はまた、ＨＡＲＱ動作をサポートするためにＡＣＫおよび／またはＮＡＣＫプロトコルを使用する誤り検出を担当する。
【００４６】
[0072]図４Ａは、アクセスネットワーク内のＭＢＳＦＮエリアの一例を示す図４１０である。セル４１２’内のｅＮＢ４１２は第１のＭＢＳＦＮエリアを形成することができ、セル４１４’内のｅＮＢ４１４は第２のＭＢＳＦＮエリアを形成し得る。ｅＮＢ４１２、４１４は、各々、他のＭＢＳＦＮエリア、たとえば、合計８つまでのＭＢＳＦＮエリアに関連付けられ得る。ＭＢＳＦＮエリア内のセルが予約済みセルを指定され得る。予約済みセルは、マルチキャスト／ブロードキャストコンテンツを与えないが、セル４１２’、４１４’に時間同期され、ＭＢＳＦＮエリアへの干渉を制限するために、ＭＢＳＦＮリソース上で制限電力を有し得る。ＭＢＳＦＮエリア内の各ｅＮＢは、同じｅＭＢＭＳ制御情報とデータとを同時に送信する。各エリアは、ブロードキャストサービスと、マルチキャストサービスと、ユニキャストサービスとをサポートし得る。ユニキャストサービスは、特定のユーザを対象とするサービス、たとえば、音声呼である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図４Ａを参照すると、第１のＭＢＳＦＮエリアは、特定のニュースブロードキャストをＵＥ４２５に供給することなどにより、第１のｅＭＢＭＳブロードキャストサービスをサポートし得る。第２のＭＢＳＦＮエリアは、異なるニュースブロードキャストをＵＥ４２０に供給することなどによって、第２のｅＭＢＭＳブロードキャストサービスをサポートし得る。
【００４７】
[0073]図４Ｂは、ＭＢＳＦＮにおけるｅＭＢＭＳチャネル構成の一例を示す図４３０である。図４Ｂに示されたように、各ＭＢＳＦＮエリアは、１つまたは複数の物理マルチキャストチャネル（ＰＭＣＨ）（たとえば、１５個のＰＭＣＨ）をサポートする。各ＰＭＣＨはＭＣＨに対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。
【００４８】
[0074]ＵＥは、ＬＴＥセルにキャンプオンして、ｅＭＢＭＳサービスアクセスと対応するアクセス層構成の利用可能性とを発見することができる。最初に、ＵＥは、ＳＩＢ１３（ＳＩＢ１３）を取得し得る。その後、ＳＩＢ１３に基づいて、ＵＥは、ＭＣＣＨ上でＭＢＳＦＮエリア構成メッセージを取得し得る。その後、ＭＢＳＦＮエリア構成メッセージに基づいて、ＵＥは、ＭＳＩ  ＭＡＣ制御要素を取得し得る。ＳＩＢ１３は、（１）セルによってサポートされる各ＭＢＳＦＮエリアのＭＢＳＦＮエリア識別子と、（２）ＭＣＣＨ繰り返し期間（たとえば、３２個、６４個、．．．、２５６個のフレーム）、ＭＣＣＨオフセット（たとえば、０個、１個、．．．、１０個のフレーム）、ＭＣＣＨ修正期間（たとえば、５１２個、１０２４個のフレーム）、シグナリング変調およびコーディング方式（ＭＣＳ）、繰り返し期間とオフセットとによって示される無線フレームのどのサブフレームがＭＣＣＨを送信することができるかを示すサブフレーム割振り情報など、ＭＣＣＨを取得するための情報と、（３）ＭＣＣＨ変更通知構成とを含み得る。ＭＢＳＦＮエリアごとに１つのＭＢＳＦＮエリア構成メッセージがある。ＭＢＳＦＮエリア構成メッセージは、（１）ＰＭＣＨ内の論理チャネル識別子によって識別される各ＭＴＣＨの一時的モバイルグループ識別情報（ＴＭＧＩ：temporary mobile group identity）および随意のセッション識別子と、（２）ＭＢＳＦＮエリアの各ＰＭＣＨを送信するための割り振られたリソース（すなわち、無線フレームおよびサブフレーム）およびそのエリア中のすべてのＰＭＣＨのための割り振られたリソースの割振り期間（たとえば、４個、８個、．．．、２５６個のフレーム）と、（３）ＭＳＩ  ＭＡＣ制御要素が送信されるＭＣＨスケジューリング期間（ＭＳＰ）（たとえば、８個、１６個、３２個、．．．、または１０２４個の無線フレーム）とを示し得る。特定のＴＭＧＩは、利用可能なＭＢＭＳサービスのうちの特定のサービスを識別する。
【００４９】
[0075]図４Ｃは、ＭＳＩ  ＭＡＣ制御要素のフォーマットを示す図４４０である。ＭＳＩ  ＭＡＣ制御要素は、ＭＳＰごとに一回送られ得る。ＭＳＩ  ＭＡＣ制御要素は、ＰＭＣＨの各スケジューリング期間の第１のサブフレーム中で送られ得る。ＭＳＩ  ＭＡＣ制御要素は、ＰＭＣＨ内の各ＭＴＣＨの停止フレームとサブフレームとを示すことができる。ＭＢＳＦＮエリアごとにＰＭＣＨ当たり１つのＭＳＩがあり得る。論理チャネル識別子（ＬＣＩＤ）フィールド（たとえば、ＬＣＩＤ１、ＬＣＩＤ２、．．．、ＬＣＩＤｎ）は、ＭＴＣＨの論理チャネル識別子を示し得る。停止ＭＴＣＨフィールド（たとえば、停止ＭＴＣＨ１、停止ＭＴＣＨ２、．．．、停止ＭＴＣＨｎ）は、特定のＬＣＩＤに対応するＭＴＣＨを搬送する最終サブフレームを示し得る。
【００５０】
[0076]図５Ａは、連続キャリアアグリゲーションタイプを開示する。図５Ｂは、非連続キャリアアグリゲーションタイプを開示する。ＵＥは、各方向において送信のために使用される最高合計１００ＭＨｚ（５つのコンポーネントキャリア）のキャリアアグリゲーションにおいて割り振られた、最高２０ＭＨｚ帯域幅のスペクトルを使用し得る。概して、アップリンク上ではダウンリンクよりも少ないトラフィックが送信され、したがって、アップリンクスペクトル割振りはダウンリンク割振りよりも小さくなり得る。たとえば、アップリンクに２０ＭＨｚが割り当てられた場合、ダウンリンクには１００ＭＨｚが割り当てられ得る。これらの非対称ＦＤＤ割当ては、スペクトルを節約し、ブロードバンド加入者による一般に非対称な帯域幅利用にぴったり合う。２つのタイプのキャリアアグリゲーション（ＣＡ）方法、すなわち、連続ＣＡおよび非連続ＣＡが提案されている。これら２つのタイプのＣＡ方法が図５Ａおよび図５Ｂに示される。非連続ＣＡは、複数の利用可能なコンポーネントキャリアが周波数帯域に沿って分離されたときに生じる（図５Ｂ）。一方、連続ＣＡは、複数の利用可能なコンポーネントキャリアが互いに隣接するときに生じる（図５Ａ）。非連続ＣＡと連続ＣＡの両方は、単一のＵＥをサービスするために複数のＬＴＥ／コンポーネントキャリアをアグリゲートする。コンポーネントキャリアは、１次コンポーネントキャリアと、１つまたは複数の２次コンポーネントキャリアとを含み得る。１次コンポーネントキャリアは１次セル（ＰＣｅｌｌ）と呼ばれることがあり、２次コンポーネントキャリアは２次セル（ＳＣｅｌｌ）と呼ばれることがある。
【００５１】
[0077]従来、ＵＥは、移動体通信事業者（ＭＮＯ）が所有するキャリア上でｅＭＢＭＳを受信するためにＭＮＯサブスクリプションを必要とする。サブスクリプションありまたはなしのいくつかのサービスプロバイダ／ＭＮＯを介してエンドユーザにコンテンツを配信する方法が望ましい。一構成では、本開示は、それのＭＮＯサブスクリプションにかかわらず任意のエンドユーザによって受信されるべき、共有キャリアを介したコンテンツの単一周波数ネットワーク（ＳＦＮ）ブロードキャストについて記述する。この共有ブロードキャストネットワークは、より効率的に無線リソースを使用し、共有認可スペクトルまたは無認可スペクトル中でのＭＢＳＦＮを介したブロードキャストＴＶの効率的な配信を可能にする。
【００５２】
[0078]一構成では、非加入者ＵＥ（または他のＭＮＯのＵＥ）が共有キャリアにアクセスしてｅＭＢＭＳを受信することができるようにｅＭＢＭＳを配信するために共有キャリアが使用され得る。共有キャリアは、共有専用ＭＢＭＳキャリア（たとえば、ＳＤＬキャリア）または共有スタンドアロンキャリアであり得る。一構成では、共有専用ＭＢＭＳキャリアまたはスタンドアロンキャリアは、任意のＵＥによってアクセスされ得る。一構成では、ＭＮＯが、ＭＢＭＳサービスへのそれの加入者のアクセスを制御すること、および／または非加入者がＭＮＯのパイプを介してＭＢＭＳサービスにアクセスするのを防止することを希望する場合、ＭＮＯについてＭＢＭＳアクセスおよび受信制御が可能になり得る。一構成では、ＭＢＭＳプロビジョニングまたは対話型サービスについてＭＮＯを通した３ＧＰＰ制限付きユニキャストアクセスが可能になり得る。
【００５３】
[0079]一構成では、コンテンツプロバイダは、コンテンツの共有ブロードキャストを容易にするためにコンテンツを受信するためにＭＮＯとのサブスクリプションを有することも有しないこともあるすべてのＵＥにオープンである共有スペクトル（または共有周波数帯域）中でコンテンツを搬送するＭＮＯとの合意を有し得る。一構成では、専用周波数帯域は、ｅＭＢＭＳサービスとにかく各ＵＥのＭＮＯサブスクリプションを受信する（to receive eMBMS services regardless the MNO subscriptions of each UE）能力を有するすべてのＵＥによってアクセスされ得るｅＭＢＭＳを介して（over eMBMS）ブロードキャストＴＶを搬送し得る。たとえば、この構成では、コンテンツの共有ブロードキャストを容易にするためにブロードキャストＴＶのための欧州ＵＨＦ７００ＭＨｚ帯域が使用され得る。一構成では、ｅＭＢＭＳ（たとえば、スポーツイベント、スタジアム環境中の（in a stadium setting）スポーツイベントの様々なカメラアングル）を搬送するために、放送事業者（broadcaster）によって所有されている周波数帯域または無認可周波数帯域が使用され得る。そのような構成では、コンテンツは、対応するＭＮＯサブスクリプションを有することも有しないこともあるすべてのＵＥによってアクセス可能でなければならない（should）。一構成では、ｅＭＢＭＳを介した公共安全および緊急サービスのために共有ブロードキャストネットワークが使用され得る。そのような構成では、サービスは、対応するＭＮＯへのサブスクリプションを有することも有しないこともあるすべてのＵＥによってアクセス可能でなければならない。
【００５４】
[0080]一構成では、共有ブロードキャストネットワークは、複数のサービスプロバイダを介してエンドユーザにコンテンツを配信する。一構成では、共有ブロードキャストネットワークは、共有キャリアを介したコンテンツ（たとえば、モバイルＨＤＴＶ）のＳＦＮブロードキャストである。共有キャリアは、ＭＮＯにわたって共通のＳＦＮタイミングを有し得る。一構成では、共有キャリアは、共有無認可キャリアであり得る。一構成では、共有キャリアは、認可キャリアであり得る。
【００５５】
[0081]図６Ａは、ＳＣｅｌｌによって与えられた共有キャリアを使用する共有ブロードキャストネットワークの一例を示す図６００である。図６００中に、それぞれ２つの異なるＭＮＯによって動作されている２つの基地局６０４および６０６がある。２つのＭＮＯの各々は、共有されない別個の周波数帯域中にキャリアを有する。加えて、２つのＭＮＯは、共有キャリア６１６を使用する。
【００５６】
[0082]ＵＥ６０２は、基地局６０４を動作させるＭＮＯへのサブスクリプションを有する。一構成では、ＵＥ６０２が基地局６０４のカバレージエリア内にあるとき、ＵＥ６０２は、基地局６０４を動作させるＭＮＯによって与えられた周波数６１０を介して基地局６０４からＭＢＭＳサービスを受信し得る。別の構成では、ＵＥ６０２が基地局６０４のカバレージエリア内にあるとき、ＵＥ６０２は、共有キャリア６１６によって与えられた周波数６１４を介して基地局６０４からＭＢＭＳサービスを受信し得る。
【００５７】
[0083]ＵＥ６０２が、基地局６０４のカバレージエリアの外側に中から（moves out of）移動し、基地局６０６のカバレージエリア内に移動するとき、ＵＥ６０２は、ＵＥ６０２’として識別される。ＵＥ６０２’は、基地局６０６を動作させるＭＮＯへのサブスクリプションを有しない。しかしながら、ＵＥ６０２’は、ＭＢＭＳサービスを受信するために（行為（action）６０８を通して）基地局６０６に同調し得る。基地局６０６からＭＢＭＳサービスを受信するために、ＵＥ６０２’は、１次セル（ＰＣｅｌｌ）として基地局６０６を動作させるＭＮＯによって与えられた周波数６１２を介して基地局６０６からＭＢＭＳ制御情報を受信し、ＳＣｅｌｌによって与えられた共有キャリア６１６によって与えられた周波数６１４を介して基地局６０６からＭＢＭＳサービスを受信する。ＵＥ６０２’がＰＣｅｌｌを動作させるＭＮＯへのサブスクリプションを有さないとしても、ＰＣｅｌｌは、ＵＥ６０２’への制限付きアクセスを提供する。ＵＥ６０２’は、ＰＣｅｌｌから制御情報を得るためにＰＣｅｌｌに同調し得、次いで、共有キャリア６１６に同調する。一構成では、共有キャリア６１６を介して（over）送られるサービスは、無許可のＵＥが共有キャリア６１６を介してＭＢＭＳサービスを受信するのを防止するためにコンテンツレベル（content level）で暗号化され得る。
【００５８】
[0084]図６Ｂは、スタンドアロンＰＣｅｌｌによって与えられた共有キャリアを使用する共有ブロードキャストネットワークの一例を示す図６５０である。図６５０中に、それぞれ２つの異なるＭＮＯによって動作されている２つの基地局６５４および６５６がある。２つのＭＮＯは、共有されないキャリアを与える。加えて、２つのＭＮＯは、共通のキャリア６６６を共有する。
【００５９】
[0085]ＵＥ６５２は、基地局６５４を動作させるＭＮＯへのサブスクリプションを有する。一構成では、ＵＥ６５２が基地局６５４のカバレージエリア内にあるとき、ＵＥ６５２は、基地局６５４を動作させるＭＮＯによって与えられた周波数６６０を介して基地局６５４からＭＢＭＳサービスを受信し得る。別の構成では、ＵＥ６５２が基地局６５４のカバレージエリア内にあるとき、ＵＥ６５２は、共有キャリア６６６によって与えられた周波数６６２を介して基地局６５４からＭＢＭＳサービスを受信し得る。
【００６０】
[0086]ＵＥ６５２が、基地局６５４のカバレージエリアの外側に中から移動し、基地局６５６のカバレージエリア内に移動するとき、ＵＥ６５２は、ＵＥ６５２’として識別される。ＵＥ６５２’は、基地局６５６を動作させるＭＮＯへのサブスクリプションを有しない。しかしながら、ＵＥ６０２’は、ＭＢＭＳサービスを受信するために（行為６５８を通して）基地局６５６に同調し得る。基地局６５６からＭＢＭＳサービスを受信するために、ＵＥ６５２’は、スタンドアロンＰＣｅｌｌによって与えられた共有キャリア６６６の周波数６６２を介して基地局６５６からＭＢＭＳ制御情報とＭＢＭＳサービスとを受信する。
【００６１】
[0087]図７は、共有ブロードキャストネットワークを通したブロードキャストＴＶまたはモバイルＨＤＴＶの一例を示す図７００である。コンテンツ７０２は、いくつかのＭＮＯ（たとえば、ＭＮＯ１〜５）によって共有されたキャリア７０４を介して顧客（customers）７０６に配信され得る。顧客７０６は、共有キャリア７０４とにかくそれらの公称セルラーサブスクリプションを介してすべてのＭＮＯ（たとえば、ＭＮＯ１〜５）によってサービスされ得る。これは、顧客がそれらの公称セルラーサブスクリプションに一致するそれらのそれぞれのＭＮＯによってサービスされるモバイルブロードキャストの従来の手法とは異なる。
【００６２】
[0088]図８は、共有ブロードキャストネットワークアーキテクチャの一例を示す図８００である。詳細には、図８００は、共有ブロードキャストネットワークのための従来のＭＢＭＳアーキテクチャおよびサービスレイヤを活用することの一例を示す。図示のように、共有ブロードキャストネットワークアーキテクチャは、ｅＮＢ８１６と、ＭＢＭＳゲートウェイ８１８と、ＢＭ−ＳＣ８１２と、ＭＣＥ８０４と、ＭＭＥ８０６と、サービングゲートウェイ８０８と、ＰＤＮゲートウェイ８１０とを含む。コンテンツプロバイダ８１４は、この共有ブロードキャストネットワークアーキテクチャを通してＵＥ８０２にＭＢＭＳサービスを提供し得る。
【００６３】
[0089]コンテンツプロバイダ８１４は、１つまたは複数のセルラー事業者とＢＭ−ＳＣ８１２、ＭＢＭＳゲートウェイ８１８、およびＭＣＥ８０４またはｅＮＢ（たとえば、８１６）を共有するか、あるいはそれ自体のネットワークを構築することができる。たとえば、一構成では、コンテンツは、共有周波数スペクトル中でＳＣｅｌｌまたはスタンドアロンＰＣｅｌｌによって与えられたｅＭＢＭＳチャネルを介して送られる。共有周波数スペクトルは、ＭＮＯのいずれか（any）への加入者によってアクセスされ、同じく（also）ＭＮＯへのいかなるサブスクリプションもない加入者によってアクセスされ得る。一構成では、ＭＢＭＳユーザトラフィックは、（ｅＮＢ８１６とＭＢＭＳゲートウェイ８１８との間の）リンク８２０と（ＭＢＭＳゲートウェイ８１８とＢＭ−ＳＣ８１２との間の）リンク８２２とを通過し（go through）得る。一構成では、ＭＢＭＳシグナリングは、（ｅＮＢ８１６とＭＣＥ８０４との間の）リンク８２４と、（ＭＣＥ８０４とＭＭＥ８０６との間の）リンク８２６と、（ＭＭＥ８０６とＭＢＭＳゲートウェイ８１８との間の）リンク８２８と、（ＭＢＭＳゲートウェイ８１８とＢＭ−ＳＣ８１２との間の）リンク８３０とによって実行される。
【００６４】
[0090]図９は、共有ブロードキャストネットワークのための従来のＭＢＭＳアーキテクチャおよびサービスレイヤを活用することの一例を示す図９００である。一構成では、コンテンツプロバイダ９０２は、１つまたは複数のセルラー事業者とともにＢＭ−ＳＣと、ＭＢＭＳゲートウェイと、ＭＭＥと、ＭＣＥ／ｅＮＢとを使用することによって共有ブロードキャストを介してコンテンツを与え得る。たとえば、一構成では、コンテンツは、１つの地理的エリア中のＵＥ９２０に達するために共有キャリアＦ３を通してＭＮＯネットワーク９０８（ＭＮＯ＿１）を介してｅＭＢＭＳを介して送られ、別の地理的エリア中のＵＥ９７０に達するために共有キャリアＦ３を通してＭＮＯネットワーク９５８（ＭＮＯ＿２）を介して送られる。ＭＮＯネットワーク９０８は、ＢＭ−ＳＣ９１０と、ＭＢＭＳゲートウェイ９１４と、ＰＤＮ／サービングゲートウェイ９１２と、ＭＭＥ９１６と、ＭＣＥ９１８と、いくつかの基地局９２２とを含み得る。ＭＮＯネットワーク９０８は、Ｆ１上で（on）ユニキャストサービスを提供し得る。ＭＮＯネットワーク９５８は、ＢＭ−ＳＣ９６０と、ＭＢＭＳゲートウェイ９６４と、ＰＤＮ／サービングゲートウェイ９６２と、ＭＭＥ９６６と、ＭＣＥ９６８と、いくつかの基地局９７２とを含み得る。ＭＮＯネットワーク９５８は、Ｆ２上でユニキャストサービスを提供し得る。ＵＥ９２０および９７０は、ＭＮＯネットワーク９０８にサブスクライブされたＵＥ、ＭＮＯネットワーク９５８にサブスクライブされたＵＥ、他のＭＮＯネットワークにサブスクライブされたＵＥ、および／またはいかなるＭＮＯへのセルラーサブスクリプションも有しないＵＥを含み得る。すべてのＵＥは、ｅＭＢＭＳサービスを受信するために共有キャリアＦ３にアクセスすることができる。
【００６５】
[0091]一構成では、ＭＮＯ９０８および９５８は、ＭＢＭＳサービス保護を無効化する（disable）。一構成では、共有キャリアＦ３上で送られたブロードキャストコンテンツはまた、他のＭＮＯの加入者およびＭＮＯへのいかなるサブスクリプションもない加入者によってアクセスされ得る。一構成では、共有キャリアＦ３は、補助ダウンリンク（ＳＤＬ）キャリアまたはスタンドアロンキャリアであり得る。
【００６６】
[0092]図１０は、従来のＭＢＭＳアーキテクチャおよびサービスレイヤが共有ブロードキャストネットワークのためにどのように活用され得るのかの別の例を示す図１０００である。一構成では、（ＢＭ−ＳＣ１００４、ＭＢＭＳゲートウェイ１００６および１００８などの）コアネットワークは、コンテンツプロバイダまたはサードパーティ１００２によって所有され得る。コアネットワークは、１つまたは複数のセルラー事業者によって与えられたＭＣＥ／ｅＮＢを共有し得る。たとえば、一構成では、コンテンツは、１つのエリア中のＵＥ１０２０にサービスを提供するために共有キャリアＦ３を介してＭＮＯネットワーク１０１０（ＭＮＯ＿１）を介してｅＭＢＭＳを介して送られ、別のエリア中のＵＥ１０７０にサービスを提供するために共有キャリアＦ３を介してＭＮＯネットワーク１０６０（ＭＮＯ＿２）を介して送られる。ＭＮＯネットワーク１０１０は、ＰＤＮ／サービングゲートウェイ１０１４と、ＭＭＥ１０１６と、ＭＣＥ１０１２と、いくつかの基地局１０１８とを含み得る。ＭＮＯネットワーク１０１０は、Ｆ１上でユニキャストサービスを提供し得る。ＭＮＯネットワーク１０６０は、ＰＤＮ／サービングゲートウェイ１０６４と、ＭＭＥ１０６６と、ＭＣＥ１０６２と、いくつかの基地局１０６８とを含み得る。ＭＮＯネットワーク１０６０は、Ｆ２上でユニキャストサービスを提供し得る。ＵＥ１０２０および１０７０は、ＭＮＯネットワーク１０１０にサブスクライブされたＵＥ、ＭＮＯネットワーク１０６０にサブスクライブされたＵＥ、他のＭＮＯネットワークにサブスクライブされたＵＥ、および／またはいかなるＭＮＯへのセルラーサブスクリプションも有しないＵＥを含み得る。すべてのＵＥは、ｅＭＢＭＳサービスを受信するために共有キャリアＦ３にアクセスすることができる。一構成では、共有ブロードキャストネットワークは、複数のＭＮＯにわたる（カバーする）ＭＢＳＦＮであり得る。
【００６７】
[0093]一構成では、コンテンツプロバイダまたはサードパーティ１００２は、サービス保護を有効化することができる。一構成では、共有キャリアＦ３上で送られたブロードキャストコンテンツはまた、他のＭＮＯからの加入者およびＭＮＯへのいかなるサブスクリプションもない加入者によってアクセスされ得る。一構成では、共有キャリアＦ３は、ＳＤＬキャリアまたはスタンドアロンキャリアであり得る。
【００６８】
[0094]図１１は、共有ブロードキャストネットワークアーキテクチャの一例を示す図１１００である。一構成では、コンテンツプロバイダ１１０２またはサードパーティ（図示せず）は、ＢＭ−ＳＣ１１０４と、ＭＢＭＳゲートウェイ１１０６および１１０８と、ＭＭＥ（図示せず）と、ＭＣＥ１１１０および１１１２と、ｅＮＢ１１２２、１１２４、１１２６、および１１２８とを含む完全なｅＭＢＭＳネットワークを展開していることがある。たとえば、一構成では、コンテンツは、コンテンツプロバイダ１１０２またはサードパーティのｅＭＢＭＳ専用（only）ネットワーク上でｅＭＢＭＳを介して送られる。一構成では、コンテンツは、ＭＮＯネットワーク１１１４または１１６４（それぞれＭＮＯ＿１およびＭＮＯ＿２）の関与なしに（without involvement of）共有キャリアＦ３を介してＵＥ１１２０および１１７０に送られる。一構成では、共有ブロードキャストネットワークにより、ＭＣＥ（たとえば、１１１０または１１１２）は、現在のｅＭＢＭＳアーキテクチャごとのＭＭＥから通過する代わりに直接ｅＮＢ（たとえば、１１２２〜１１２８）と通信することが可能になり得る。ＵＥ１１２０および１１７０は、ＭＮＯネットワーク１１１４にサブスクライブされたＵＥ、ＭＮＯネットワーク１１６４にサブスクライブされたＵＥ、他のＭＮＯネットワークにサブスクライブされたＵＥ、および／またはいかなるＭＮＯへのセルラーサブスクリプションも有しないＵＥを含み得る。すべてのＵＥは、ｅＭＢＭＳサービスを受信するために共有キャリアＦ３にアクセスすることができる。
【００６９】
[0095]一構成では、共有ブロードキャストネットワークは、スタンドアロンｅＭＢＭＳキャリアであり得るＦ３上にＭＢＳＦＮを展開し得る。一構成では、アップリンクチャネルがある場合、コンテンツプロバイダ１１０２は、サービス保護を有効化することができる。一構成では、共有キャリアＦ３上で送られたブロードキャストコンテンツはまた、他のＭＮＯからの加入者およびＭＮＯへのいかなるサブスクリプションもない加入者によってアクセスされ得る。
【００７０】
[0096]図１２は、共有ブロードキャストネットワークアーキテクチャの一例を示す図１２００である。一構成では、共有ブロードキャストネットワークは、コンテンツプロバイダ１２０２のためのＭＮＯ協調ＳＦＮである。ＢＭ−ＳＣ１２０４と、ＭＢＭＳゲートウェイ１２０６と、ＭＣＥ１２０８とは、ＭＮＯ（たとえば、ＭＮＯネットワーク１２１４および１２１６）によって共有され得るか、サードパーティ（図示せず）によって所有され得るか、またはコンテンツプロバイダ１２０２によって所有され得る。ＭＮＯネットワーク１２１４（ＭＮＯ＿１）は、ｅＮＢ１２２４を動作させる。ＭＮＯネットワーク１２１４は、Ｆ１上でユニキャストサービスを提供し得る。ＭＮＯネットワーク１２１６（ＭＮＯ＿２）は、ｅＮＢ１２２２を動作させる。ＭＮＯネットワーク１２１６は、Ｆ２上でユニキャストサービスを提供し得る。
【００７１】
[0097]たとえば、一構成では、コンテンツは、１つのＭＢＳＦＮとしてＭＮＯ（たとえば、１２１４または１２１６）のｅＭＢＭＳ  ｅＮＢ（たとえば、それぞれ１２２４または１２２２）を介して送られる。一構成では、コンテンツは、共有キャリアＦ３を介してＵＥ１２２０に送られる。たとえば、共有キャリアＦ３を与えるために無認可周波数帯域あるいはサードパーティまたはコンテンツプロバイダ１２０２に所有されている認可周波数帯域が使用され得る。ＵＥ１２２０は、ＭＮＯネットワーク１２１４にサブスクライブされたＵＥ、ＭＮＯネットワーク１２１６にサブスクライブされたＵＥ、他のＭＮＯネットワークにサブスクライブされたＵＥ、および／またはいかなるＭＮＯへのセルラーサブスクリプションも有しないＵＥを含み得る。この構成の使用事例の一例は、スタジアムにおいてのものであり、ここで、様々な（different）ＭＮＯの加入者が、（ＮＦＬの試合など）ベニューのｅＭＢＭＳサービスを受信するためにキャリアＦ３にアクセスすることができる。これにより、異なるＭＮＯのネットワークを介して同じコンテンツが複製されて送られるのが回避される。
【００７２】
[0098]一構成では、共有キャリアＦ３は、スタンドアロンｅＭＢＭＳキャリアであり得る。一構成では、コンテンツプロバイダ１２０２は、サービス保護を有効化することができる。一構成では、共有キャリアＦ３上で送られたブロードキャストコンテンツはまた、他のＭＮＯからの加入者およびＭＮＯへのいかなるサブスクリプションもない加入者によってアクセスされ得る。
【００７３】
[0099]図１３は、共有ブロードキャストネットワークアーキテクチャの一例を示す図１３００である。一構成では、共有ブロードキャストネットワークは、デジタルＴＶネットワークと同様の簡略化されたｅＭＢＭＳネットワークである。コンテンツプロバイダ１３０２は、ｅＮＢ（たとえば、１３２２および１３２４）にコンテンツを送り得る。一構成では、分散ＭＣＥ（図示せず）は、ｅＮＢとコロケートされる。
【００７４】
[00100]一構成では、ＢＭ−ＳＣなしに、ＭＢＭＳユーザデータフロー同期がＭＢＳＦＮ適応（Adaptation）１３０４を通して達成される。ＭＢＳＦＮは、異なるＭＮＯ（たとえば、ＭＮＯ１３１４および１３１６）および／またはコンテンツプロバイダ１３０２および／またはサードパーティ（図示せず）によって所有されているｅＮＢにわたって実装され得る。ＭＮＯ１３１４（ＭＮＯ＿１）は、ｅＮＢ１３２４を動作させる。ＭＮＯネットワーク１３１４は、Ｆ１上でユニキャストサービスを提供し得る。ＭＮＯ１３１６（ＭＮＯ＿２）は、ｅＮＢ１３２２を動作させる。ＭＮＯネットワーク１３１６は、Ｆ２上でユニキャストサービスを提供し得る。一構成では、ｅＭＢＭＳサービスを受信するためのプロトコルスタックは、完全サービスレイヤ／ミドルウェア（たとえば、ｅＭＢＭＳ物理レイヤ／ＭＡＣ／ＲＬＣを介したＭＰＥＧ−２トランスポートストリーム（ＴＳ）またはｅＭＢＭＳ物理レイヤ／ＭＡＣ／ＲＬＣを介したＩＰを介したＭＰＥＧ−２  ＴＳ）を有しないことがある。一構成では、ＴＶ番組のためのサービス定義は、ｅＭＢＭＳユーザサービス説明情報（ＵＳＤ：user service description）を使用し得る。
【００７５】
[00101]たとえば、一構成では、コンテンツは、１つのＭＢＳＦＮとしてＭＮＯ（たとえば、１３１４または１３１６）のｅＭＢＭＳ  ｅＮＢ（たとえば、それぞれ１３２４または１３２２）を介して送られる。一構成では、コンテンツは、すべてのＭＮＯ（たとえば、１３１４および１３１６）によって共有されたキャリアＦ３を介してＵＥ１３２０に送られる。ＵＥ１３２０は、ＭＮＯネットワーク１３１４にサブスクライブされたＵＥ、ＭＮＯネットワーク１３１６にサブスクライブされたＵＥ、他のＭＮＯネットワークにサブスクライブされたＵＥ、および／またはいかなるＭＮＯへのセルラーサブスクリプションも有しないＵＥを含み得る。すべてのＵＥは、ｅＭＢＭＳサービスを受信するために共有キャリアＦ３にアクセスすることができる。
【００７６】
[00102]一構成では、共有キャリアＦ３は、スタンドアロンｅＭＢＭＳキャリアであり得る。一構成では、共有キャリアＦ３上で送られたブロードキャストコンテンツはまた、他のＭＮＯからの加入者およびＭＮＯへのいかなるサブスクリプションもない加入者によってアクセスされ得る。
【００７７】
[00103]共有ブロードキャストネットワークの一構成では、コンテンツは、共有キャリアのｅＭＢＭＳチャネルを介して送られる。一構成では、共有キャリアは、ｅＭＢＭＳ  ＳＤＬキャリアであり得る。別の構成では、共有キャリアは、スタンドアロンキャリアであり得る。ＳＤＬキャリアの場合、ＭＢＭＳサービスについての制御情報は、ＭＮＯのＰＣｅｌｌを介して送られ得る。したがって、ＵＥは、ＳＤＬキャリア上でのＭＢＭＳ受信のために複数の（multiple）周波数帯域をサポートし得る。一構成では、ＵＥは、共有ＳＤＬキャリア上でｅＭＢＭＳを受信するためにＰＣｅｌｌ上の共通探索空間をサポートし得る。スタンドアロン共有キャリアの場合、すべてのｅＭＢＭＳ制御情報は、スタンドアロン共有キャリアを介して送られ得る。一構成では、ＵＥが共有スペクトル上でｅＭＢＭＳを受信するのを制御することが望ましい場合、共有ブロードキャストネットワークは、ＭＢＭＳアクセスおよび受信がＭＮＯによって制御されることを可能にする。一構成では、ＭＢＭＳサービスを識別するために使用されるＴＭＧＩがＭＮＯから分離される（decoupled）。一構成では、あらゆる（every）ＭＮＯネットワーク中でコンテンツを識別するために同じＴＭＧＩが使用され得る。一構成では、ＭＢＭＳプロビジョニングについてＭＮＯを通して３ＧＰＰ制限付きユニキャストアクセスが可能になる。
【００７８】
[00104]一構成では、ｅＭＢＭＳ専用／共有キャリアは、ＳＤＬキャリアであり得る。ＳＤＬキャリアは、上位レイヤシグナリング（たとえば、ユニキャストシグナリング）をサポートしないことがある。したがって、ＵＥは、ＭＮＯのＰＣｅｌｌを通してＭＢＭＳサービスを取得する必要があり得る。このＰＣｅｌｌは、関連するＭＮＯサブスクリプションなしにＵＥによってアクセスされ得る。一構成では、ＭＢＳＦＮのためにすべてのサブフレームが使用されるので、ｅＭＢＭＳ専用ＳＤＬキャリア上でＭＢＳＦＮ−ＳｕｂｆｒａｍｅＣｏｎｆｉｇについての情報を搬送するＳＩＢ２は必要とされないことがある。一構成では、ＭＢＳＦＮのためにいくつかのサブフレームが使用されない場合、ｅＭＢＭＳ  ＳＤＬキャリア上でＭＢＳＦＮ−ＳｕｂｆｒａｍｅＣｏｎｆｉｇについての情報を搬送するＳＩＢ２が必要とされ得る。一構成では、ｅＭＢＭＳ専用ＳＤＬキャリア上のＳＩＢ１３と物理ダウンリンク制御チャネル（ＰＤＣＣＨ）通知とはＭＮＯのＰＣｅｌｌから送られ得る。
【００７９】
[00105]一構成では、ＭＢＳＦＮ専用ＳＤＬキャリアのためのＳＩＢ１３は、従来のＳＩＢ１３と同じメッセージフォーマットを使用してＭＮＯのＰＣｅｌｌ上で送られる。ＩＥ  ＳｙｓｔｅｍＩｎｆｏｒｍａｔｉｏｎＢｌｏｃｋＴｙｐｅ１３は、１つまたは複数のＭＢＳＦＮエリアに関連するＭＢＭＳ制御情報を取得するために使用される情報を含んでいる。
ＳｙｓｔｅｍＩｎｆｏｒｍａｔｉｏｎＢｌｏｃｋＴｙｐｅ１３情報要素
【００８０】
【数１】
2018522446.tif 000003
【００８１】
[00106]ＩＥ  ＭＢＳＦＮ−ＡｒｅａＩｎｆｏＬｉｓｔは、１つまたは複数のＭＢＳＦＮエリアに関連するＭＢＭＳ制御情報を取得するために使用される情報を含んでいる。
ＭＢＳＦＮ−ＡｒｅａＩｎｆｏＬｉｓｔ情報要素
【００８２】
【数２】
2018522446.tif 000004
【００８３】
[00107]ＩＥ  ＭＢＭＳ−ＮｏｔｉｆｉｃａｔｉｏｎＣｏｎｆｉｇは、すべてのＭＢＳＦＮエリアに適用可能であるＭＢＭＳ通知関連構成パラメータを指定する。
ＭＢＭＳ−ＮｏｔｉｆｉｃａｔｉｏｎＣｏｎｆｉｇ情報要素
【００８４】
【数３】
2018522446.tif 000005
【００８５】
[00108]一構成では、ｅＭＢＭＳ専用ＳＤＬキャリアのためのＳＩＢ１３は、ｉ）ＳＤＬキャリアの中心周波数およびＳＤＬキャリアに関連するダウンリンク帯域幅と、ｉｉ）シンボルタイミング、サブフレームタイミング、およびシステムフレーム番号とを含み得る。存在する複数のｅＭＢＭＳ専用キャリアがあるとき（When there are multiple eMBMS dedicated carriers present）、キャリアごとに更新されたＳＩＢ１３が必要とされ得る。
【００８６】
[00109]一構成では、更新されたＳＩＢ１３；混合キャリアのためのＳＩＢ１３、中心周波数１、中心周波数１のためのダウンリンク帯域幅、中心周波数１のためのシンボルタイミング、中心周波数１のためのサブフレームタイミング、システムフレーム番号、および、対応するＳＩＢ１３；中心周波数２、中心周波数２のためのダウンリンク帯域幅、中心周波数２のためのシンボルタイミング、中心周波数２のためのサブフレームタイミング、システムフレーム番号、および、対応するＳＩＢ１３．．．．のように構造化され得る。別の構成では、新しいＳＩＢが、中心周波数１、中心周波数１のためのダウンリンク帯域幅、中心周波数１のためのシンボルタイミング、中心周波数１のためのサブフレームタイミング、システムフレーム番号、および、対応するＳＩＢ１３；中心周波数２、中心周波数２のためのダウンリンク帯域幅、中心周波数２のためのシンボルタイミング、中心周波数２のためのサブフレームタイミング、システムフレーム番号、および、対応するＳＩＢ１３．．．．を含むために使用され得る。
【００８７】
[00110]一構成では、キャリアがｅＭＢＭＳ専用キャリアであることを示すために別のフラグがＳＩＢ１５中に追加され得る。一構成では、ＭＣＨスケジューリング情報（ＭＳＩ）は、以下で説明するように、最大２５６０個のサブフレーム可能性（possibilities）の６０％を超えた（または最大１００％の（up to））周波数割振りを許可するように変更される（以前は（previously）、２５６０＊６０％＝１５３６個である）。
ＰＭＣＨ−ＩｎｆｏＬｉｓｔ情報要素
【００８８】
【数４】
2018522446.tif 000006
【００８９】
[00111]図１４は、ＭＳＩ  ＭＡＣ制御要素の一例を示す図１４００およびＭＳＩ  ＭＡＣ制御要素内の論理チャネルｉｄ（ＬＣＩＤ）フィールドの可能な値を示す表１４５０である。図１４００に示すように、各ＭＴＣＨは、ＬＣＩＤフィールドとＳｔｏｐ  ＭＴＣＨフィールドとによって定義される。５ビットのＬＣＩＤがＭＴＣＨの論理チャネルｉｄである。ＬＣＩＤの異なる値は、表１４５０に示すようにＭＴＣＨに関する異なる指示を有し得る。
【００９０】
[00112]従来、Ｓｔｏｐ  ＭＴＣＨは、１１ビットの長さ（long）である。Ｓｔｏｐ  ＭＴＣＨフィールドは、ＭＣＨスケジューリング期間（ＭＳＰ）内のサブフレームの序数（ordinal number）を示す。Ｓｔｏｐ  ＭＴＣＨの値は、ＭＣＨサブフレームをカウントする。Ｓｔｏｐ  ＭＴＣＨの値２０４７は、対応するＭＴＣＨがスケジュールされていないことを示す。Ｓｔｏｐ  ＭＴＣＨの値２０４３〜２０４６は、予約されている。一構成では、Ｓｔｏｐ  ＭＴＣＨフィールドは、ＭＴＣＨフィールドを１２ビットに拡張することによって２５６０個のサブフレーム可能性を許可するように拡張され得る。
【００９１】
[00113]一構成では、ＳＦＮを与えるために、共有ＳＤＬセル間の同期があり得る。一構成では、ＳＩＢ情報は、ＭＢＭＳサービスのための共有ＳＣｅｌｌのためのＭＢＳＦＮサブフレームの最大（up to）１００％の割振りを示し得る。一構成では、ＳＩＢ情報は、ＰＣｅｌｌと共有ＳＣｅｌｌとの間の時間オフセットを示し得る。一構成では、ｅＭＢＭＳ共有ＳＤＬキャリア上のＳＩＢ１３とＰＤＣＣＨ通知とは１次キャリアから送られる。代替構成では、共有ＭＢＭＳ  ＳＤＬキャリア情報は、ＩＰ接続を介して送られ得る。
【００９２】
[00114]ブロードキャストＴＶ受信機では、受信機がｅＭＢＭＳを受信するためにｅＭＢＭＳキャリアを使用する場合、共有スタンドアロンｅＭＢＭＳキャリアを介してコンテンツを送ることがより望ましいことがある。一構成では、スタンドアロンキャリアを用いる共有ブロードキャストネットワークは、ブロードキャストＴＶのためにスタンドアロンキャリアの帯域幅全体（entire bandwidth）を利用する。一構成では、ユニキャスト対話型トラフィック（たとえば、ＭＢＭＳプロビジョニングなど）のためのアップリンク帯域幅が存在しないか、または極めて（very）制限される。すべての制御情報がスタンドアロンキャリアを介して送られ得るので、接続すべき（to be attached to）ベースキャリア（ＭＮＯ）がないことがある。
【００９３】
[00115]一構成では、スタンドアロンキャリアを用いる共有ブロードキャストネットワークは、１次同期信号（ＰＳＳ）、第２の同期信号（ＳＳＳ）、物理ブロードキャストチャネル（ＰＢＣＨ）、またはＳＩＢ送信のうちの１つまたは複数を実行する。別の構成では、スタンドアロンキャリアを用いる共有ブロードキャストネットワークは、ＰＳＳ／ＳＳＳの送信なしにＰＢＣＨ／ＳＩＢ送信を保つ（keeps）。一構成では、スタンドアロンキャリアを用いる共有ブロードキャストネットワークにより、ＰＳＳ／ＳＳＳ／ＰＢＣＨ／ＳＩＢとＰＭＣＨとの間の時分割多重（ＴＤＭ）または周波数分割多重（ＦＤＭ）が可能になる。別の構成では、スタンドアロンキャリアを用いる共有ブロードキャストネットワークにより、ＰＢＣＨ／ＳＩＢとＰＭＣＨとの間のＴＤＭまたはＦＤＭが可能になる。
【００９４】
[00116]一構成では、１つのＳＩＢ（たとえば、ＳＩＢ１３または新しいＳＩＢ）は、スタンドアロンキャリアを用いる共有ブロードキャストネットワークについてのすべての必要な情報を搬送する。一構成では、スタンドアロンキャリアの帯域幅にリンクされた半静的ＳＩＢスケジューリングが、ＭＢＭＳシグナリングのために適用され得る。一構成では、異なるＭＢＳＦＮエリアが、異なるサイクリックプレフィックス（ＣＰ）長さをサポートすることができ、そのような情報は、スタンドアロンキャリアを用いる共有ブロードキャストネットワークのためのＳＩＢ中で示される。一構成では、スタンドアロンキャリアを用いる共有ブロードキャストネットワークのための異なるＣＰ長さに対して異なるサブフレーム構造がもたらされ得る。一構成では、ＳＩＢは、各ＭＣＣＨおよびＭＢＳＦＮエリアのための関連するＣＰ長さを示し得る。一構成では、スタンドアロンキャリアを用いる共有ブロードキャストネットワークにより、アップリンクサブフレームの構成が可能になり得る。上位レイヤ手順（ＭＡＣ／ＲＲＣ）は、スタンドアロンキャリアを用いる共有ブロードキャストネットワークに対して同じままであり得る。
【００９５】
[00117]各セルが最大８つのＭＢＳＦＮエリアを属することができるので、ＵＥは、ＭＢＳＦＮエリアＩＤを直接取得することができないことがある。一構成では、スタンドアロンキャリアを用いる共有ブロードキャストネットワークは、物理セル識別情報（ＰＣＩ）検出のために従来のＰＳＳ／ＳＳＳと同じ収集信号（acquisition signal）を保つ。各セルは、ＳＩＢ中でそれの関連するＭＢＳＦＮエリアを送信する。一構成では、ＰＢＣＨは、ＳＦＮおよび帯域幅情報のために必要とされ得る。すべてのシステムおよびＭＢＭＳ関連情報は、１つのＳＩＢ中で送信され得る。ＵＥは、各ＭＢＳＦＮエリアに対応するＭＣＣＨを取得するためにこれらのシステムおよびＭＢＭＳ関連情報を使用し得る。一構成では、情報が潜在的に複数の（multiple）ＭＢＳＦＮエリアのためのものであり得るので、これらのシステムおよびＭＢＭＳ関連情報は、従来のＭＢＳＦＮ方式で送信されないことがある。一構成では、これらのシステムおよびＭＢＭＳ関連情報は、Ｘｍｓ（たとえば、Ｘ＝２０）ごとに１回送信され得る。一構成では、各セルは、最も小さいＭＢＳＦＮエリアを形成し、最も小さいＭＢＳＦＮエリア中でこれらのシステムおよびＭＢＭＳ関連情報を送信し、セルによってサポートされる他のＭＢＳＦＮエリアのためのＭＣＣＨを取得するためにＵＥのためのアンカーＭＢＳＦＮエリアとして働くことができる。
【００９６】
[00118]スタンドアロンキャリアを用いる共有ブロードキャストネットワークの一構成では、ＳＩＢ情報を含んでいないサブフレームのためにＴＤＭユニキャストシンボルが必要とされないことがある。そのような構成では、ＳＩＢ情報を含んでいるサブフレーム中でＰＤＣＣＨを使用する動的ＳＩＢスケジューリングが使用され得る。または、ＰＤＣＣＨを使用せずに半静的ＳＩＢスケジューリングがもたらされ得る。リソース割振りおよびＭＣＳは、帯域幅の関数で（a function of）あり得る。
【００９７】
[00119]図１５は、ワイヤレス通信の方法のフローチャート１５００である。詳細には、本方法は、共有キャリアを介してＭＢＭＳサービスを取得することについて記述する。本方法は、ＵＥ（たとえば、ＵＥ１０４、３５０、６０２／６０２’、６５２／６５２’、装置１９０２／１９０２’）によって実行され得る。１５０２において、ＵＥは、共有キャリア上で提供される（offered）ＭＢＭＳサービスを取得することを決定する。一構成では、ＵＥは、ユーザインターフェース（ＵＩ）入力に応答してＭＢＭＳサービスを取得することを決定する。別の構成では、ＵＥは、前もってスケジュールされたイベントに応答してＭＢＭＳサービスを取得することを決定する。
【００９８】
[00120]１５０４において、ＵＥは、ＭＢＭＳサービスについての制御情報を受信する。一構成では、ＵＥは、第１のＭＮＯとの制限付きユニキャスト通信を介してＭＢＭＳサービスに関連する情報を受信し得る。ＭＢＭＳサービスは、受信された情報に基づいて受信され得る。
【００９９】
[00121]１５０６において、ＵＥは、ＵＥが加入者であることも加入者でないこともある第１のＭＮＯと少なくとも１つの他のＭＮＯとによって共有されたキャリアを介してＭＢＭＳサービスを受信するために第１のＭＮＯによって与えられた周波数に同調する。本明細書で使用する、複数のＭＮＯによって共有されたキャリアは、複数のＭＮＯの間の共有キャリアと呼ばれることもある。一構成では、共有キャリアは、第１のＭＮＯと少なくとも１つの他のＭＮＯとに関する共通のＳＦＮタイミングを有する。一構成では、共有キャリアは、無認可キャリアを含む。１５０８において、ＵＥは、第１のＭＮＯと少なくともオンの他のＭＮＯ（the at least on other MNO）とによって共有されたキャリアを介して周波数上でＭＢＭＳサービスを受信する。従来、ＵＥは、ＵＥが加入者でないＭＮＯからサービスを取得するのを防止される。一構成では、ＭＮＯは、たとえば、ＰＣｅｌｌによって与えられた制限付きユニキャストサービスを介して、およびＳＣｅｌｌによって与えられた共有キャリアを介してＭＮＯへのサブスクリプションなしにＵＥにネットワークアクセスを与えることに同意し得る。一構成では、コンテンツプロバイダが、無許可のＵＥが共有キャリアを介してＭＢＭＳサービスを受信するのを防止することを希望する場合、コンテンツは暗号化され得る（すなわち、コンテンツ保護され得る）。一構成では、必要な場合、許可されたＵＥに復号鍵をプロビジョニングするためにオンラインプロビジョニングが使用され得る。
【０１００】
[00122]一構成では、共有キャリアは、共有ＭＢＭＳ  ＳＤＬキャリアを含む。この構成では、ＭＢＭＳサービスについての制御情報は、第１のＭＮＯのＰＣｅｌｌを通して受信され、ＭＢＭＳサービスは、第１のＭＮＯと少なくとも１つの他のＭＮＯとによって共有されたＳＣｅｌｌを通して受信される。ＭＢＭＳ制御情報は、ＰＣｅｌｌの共通探索空間を通して受信される。ＵＥは、共有ＭＢＭＳ  ＳＤＬキャリアに関連する周波数と帯域幅とを示すＳＩＢ（たとえば、ＳＩＢ１３）をさらに取得し得る。ＵＥは、取得されたＳＩＢに基づいて周波数に同調し得る。ＵＥは、ＳＣｅｌｌのためのＭＢＳＦＮサブフレームの割振りを示すＳＩＢ（たとえば、ＳＩＢ１３）を取得し得る。ＭＢＭＳサービスは、取得されたＳＩＢ中の示されたＭＢＳＦＮサブフレームに基づいて受信され得る。ＵＥは、ＰＣｅｌｌとＳＣｅｌｌとの間の時間オフセットを示すＳＩＢ（たとえば、ＳＩＢ１３）を取得し得る。ＭＢＭＳサービスは、取得されたＳＩＢ中の示された時間オフセットに基づいて受信され得る。ＵＥは、ＰＣｅｌｌから共有ＭＢＭＳ  ＳＤＬキャリア上でＳＩＢ１３とＰＤＣＣＨ通知とをさらに受信し得る。ＭＢＭＳサービスは、受信されたＳＩＢ１３とＰＤＣＣＨ通知とに基づいて受信され得る。
【０１０１】
[00123]代替構成では、ＵＥは、ＩＰ接続を通して共有ＭＢＭＳ  ＳＤＬキャリアに関する情報を受信し得る。ＵＥは、周波数に同調し、共有ＭＢＭＳ  ＳＤＬキャリアに関する受信された情報に基づいてＭＢＭＳサービスを受信し得る。
【０１０２】
[00124]一構成では、共有キャリアは、ＭＢＭＳサービスとＭＢＭＳサービスに関連する制御情報とを受信するためのスタンドアロン共有キャリアを含み得る。一構成では、ＵＥは、スタンドアロン共有キャリアを介してＰＳＳとＳＳＳとを前もって受信することなしにスタンドアロン共有キャリアを介してフレームタイミングとＳＩＢとを受信し得る。本構成の詳細について、図１６において以下でさらに説明することにする。一構成では、共有キャリアは、第１のＭＮＯと少なくとも１つの他のＭＮＯとによって実装されるＭＢＳＦＮを含み得る。
【０１０３】
[00125]図１６は、ワイヤレス通信の方法のフローチャート１６００である。詳細には、本方法は、スタンドアロン共有キャリアを介してＰＳＳとＳＳＳとを前もって受信することなしにスタンドアロン共有キャリアを介してフレームタイミングとＳＩＢ（たとえば、新しいＳＩＢまたはＳＩＢ１３）とを取得することについて記述する。一構成では、ＳＩＢは、すべての制御情報、たとえば、ＳＩＢ１、ＳＩＢ２、ＳＩＢ１３、ＳＩＢ１５などの組合せを含んでいる新しいＳＩＢである。本方法は、ＵＥ（たとえば、ＵＥ１０４、３５０、６０２／６０２’、６５２／６５２’、装置１９０２／１９０２’）によって実行され得る。１６０２において、ＵＥは、ＭＢＳＦＮ  ＩＤを受信する。一構成では、ＭＢＳＦＮ  ＩＤは、よく知られている仮想ＭＢＳＦＮ  ＩＤである。
【０１０４】
[00126]１６０４において、ＵＥは、ＭＢＳＦＮサブフレーム中でスタンドアロン共有キャリアを介して、ＳＩＢ（たとえば、新しいＳＩＢまたはＳＩＢ１３）と基準信号（ＲＳ）とを受信する。ＲＳは、ＭＢＳＦＮ  ＩＤに基づいてスクランブルされる。１６０６において、ＵＥは、異なるＭＢＳＦＮ  ＩＤ仮説（hypotheses）を用いて受信されたＳＩＢとＲＳとに基づいてフレームタイミングを確立する。たとえば、ＳＩＢは、１０ｍｓのフレームタイミングに対して（relative to）知られているサブフレーム中に周期的に配置され得る。ＵＥは、フレームタイミングを確立するためにＳＩＢ  ＭＢＳＦＮ  ＩＤを探索し得る。
【０１０５】
[00127]１６０８において、ＵＥは、フレームタイミングを確立すると、ＳＩＢを復号し、ＭＢＳＦＮ  ＩＤを検出する。ＵＥがＳＩＢパイロット／ＲＳを発見すると、ＵＥは、信号がブロードキャスト信号であることを知り、対応するＳＩＢ情報を取得する。
【０１０６】
[00128]ＭＮＯは、いくつかの（certain）ＭＢＭＳサービスへのＭＮＯのＵＥによるアクセスを制御し得る。ブロードキャストコンテンツが異なる帯域／周波数を介して送られる場合、ＭＮＯは、ＵＥの加入者識別情報モジュール（ＳＩＭ）を構成することを介してＭＮＯの加入者（ＵＥ）によってアクセスされるのを許可するかまたは許可しない帯域を構成し得る。放送事業者のコンテンツとＭＮＯのコンテンツとが同じ帯域／周波数上で送られる場合、ＭＮＯは、ＳＩＭ構成を介してそれの加入者によってアクセスされるのを許可するかまたは許可しないＰＬＭＮ  ＩＤまたはサービス（ＴＭＧＩ）を構成し得る。ＭＮＯは、他のＭＮＯの加入者によってＭＮＯのパイプを介して送られたｅＭＢＭＳへのアクセスを防止し得る。これは、ＭＮＯのネットワーク上でサービス保護を有効化することによって行われ得る。
【０１０７】
[00129]共有ブロードキャストネットワークの一構成では、ＴＭＧＩは、ＭＮＯから分離され得る。これは、現在のＴＭＧＩフォーマットを再使用することを通して達成され得る。一構成では、コンテンツプロバイダは、別個のＴＭＧＩ空間を有し得る（たとえば、コンテンツプロバイダは、それ自体のモバイル国コード（ＭＣＣ）またはモバイルネットワークコード（ＭＮＣ）を用いて割り振られる）。別の構成では、コンテンツプロバイダは、異なるセルラー事業者とは異なるＴＭＧＩ空間を使用し得る。ＭＮＯからのＴＭＧＩの分離はまた、ＭＣＣおよびＭＮＣからＴＭＧＩを分離することを通して達成され得る。これは、コンテンツプロバイダにわたって一意のＴＭＧＩを生じ得る。
【０１０８】
[00130]共有ブロードキャストネットワークの一構成では、オンラインプロビジョニングが実行され得る。一構成では、オンラインプロビジョニングは、ＵＥにサービス（たとえば、ＭＢＭＳ）を提供するためにネットワークを準備し、装備するプロセスを伴い得る。一構成では、プロビジョニングプロセスは、ネットワークリソースのセキュリティおよびユーザプライバシーを保証するためにアクセス権および特権を監視する。一構成では、ＵＥは、アプリケーションサーバ情報で構成され得る。アプリケーションのプロビジョニングは、ＩＰを介して実行され得る。ＵＥは、アプリケーションサーバと通信するために利用可能な手段、たとえば、３ＧＰＰ証明書ありの３ＧＰＰ、Ｗｉ−Ｆｉ、３ＧＰＰ証明書なしの３ＧＰＰ制限付きアクセスなどを識別し得る。ＵＥは、利用可能な接続および構成に基づいてユニキャストのためにどのアクセスを使用すべきかを決定し得る。
【０１０９】
[00131]共有ブロードキャストネットワークの一構成では、ＭＢＭＳプロビジョニングについてＭＮＯを通した制限付きユニキャストアクセスが可能になり得る。ＵＥは、アクセスポイント名（ＡＰＮ）で事前構成され得る。ＵＥは、事前構成されたＡＰＮに接続する。ネットワークは、このＡＰＮを通してＭＢＭＳプロビジョニングを実行する。プロビジョニング中に、ネットワークは、ＵＥがこのＡＰＮに再接続するのを許可しない。一構成では、ＰＤＮゲートウェイは、ＭＭＥに「このＡＰＮへの再接続が許可されない」ことを示し得る。ＭＭＥは、「このＡＰＮへの再接続が許可されない」ことを示すために非アクセス層（non-access stratum）（ＮＡＳ）シグナリングを使用してＵＥに通知する。そのような指示を受信すると、ＵＥは、次の電力サイクルまでＡＰＮに再接続するのを許可されない。
【０１１０】
[00132]図１７は、アプリケーションオンラインプロビジョニングのための３ＧＰＰ制限付きアクセスを示す例示的な流れ図１７００である。アプリケーションオンラインプロビジョニングは、ｅＭＢＭＳを受信するために必要な情報（たとえば、データに対する復号鍵）を与え得る。一構成では、アプリケーションオンラインプロビジョニングはまた、投票、受信報告などの対話型サービスを伴い（involve）得る。アプリケーションオンラインプロビジョニングのための３ＧＰＰ制限付きアクセスを得るために、ＵＥ１７０２は、ｅＮＢ１７０４とのＲＲＣ接続を（１７１２において）確立する。１７１４において、ＵＥ１７０２は、ＭＭＥ１７０６にプロビジョニングのためのＡＰＮとともに接続要求（attach request）を送る。このＡＰＮは、一般的な「プロビジョニング」ＡＰＮであるか、または「アプリ固有プロビジョニング」ＡＰＮ、たとえば、「ＨＢＯ−ＧＯ−Ｐｒｏｖｉｓｉｏｎｉｎｇ」であり得る。
【０１１１】
[00133]ネットワークがオンラインプロビジョニングをサポートする場合、ＭＭＥ１７０６は、プロビジョニングのための特定のサービングゲートウェイまたはＰＤＮゲートウェイ１７０８を選択し、プロビジョニングサービングゲートウェイまたはＰＤＮゲートウェイ１７０８への非認証接続を（１７１６において）確立する。一構成では、ＭＭＥ１７０６は、非認証接続が確立されるときにタイマーを開始し得る。タイマーが満了する場合、ＭＭＥ１７０６は、接続を解放し、ＵＥ１７０２をデタッチする。
【０１１２】
[00134]一構成では、ＰＤＮゲートウェイ１７０８は、プロビジョニングのためにアプリケーションサーバの特定のプールへの制限付き接続を提供する。プロビジョニングは、たとえば、ＨＴＴＰＳを介して実行される。１７１８において、ＵＥ１７０２は、アプリケーションサーバ１７１０とサブスクリプション選択または証明書プロビジョニングを実行する。プロビジョニングが完了した後、ＮＡＳ／ＲＲＣ接続が１７１０において解放される。一構成では、ＭＭＥ１７０６中の接続のためのタイマーが満了するか、またはｅＮＢ１７０４中の非アクティビティタイマーが満了するので、ＮＡＳ／ＲＲＣ接続が解放される。
【０１１３】
[00135]図１８は、アプリケーションオンラインプロビジョニングのために３ＧＰＰ制限付きアクセスを使用するワイヤレス通信の方法のフローチャート１８００である。本方法は、ＵＥ（たとえば、ＵＥ１０４、３５０、６０２／６０２’、６５２／６５２’、装置１９０２／１９０２’）によって実行され得る。１８０２において、ＵＥは、基地局とのＲＲＣ接続を確立する。
【０１１４】
[00136]１８０４において、ＵＥは、プロビジョニングプロセスのためのＡＰＮとともに接続要求を送る。このＡＰＮは、一般的な「プロビジョニング」ＡＰＮであるか、または「アプリ固有プロビジョニング」ＡＰＮ、たとえば、「ＨＢＯ−ＧＯ−Ｐｒｏｖｉｓｉｏｎｉｎｇ」であり得る。
【０１１５】
[00137]１８０６において、ＵＥは、プロビジョニングプロセスのためのサービングゲートウェイまたはＰＤＮゲートウェイとの非認証制限付き接続を確立する。一構成では、サービングゲートウェイまたはＰＤＮゲートウェイは、ＭＭＥによって選択される。一構成では、ＭＭＥは、非認証接続が確立されるときにタイマーを開始し得る。タイマーが満了する場合、ＭＭＥは、接続を解放し、ＵＥをデタッチする。一構成では、ＵＥは、制限付き接続が承諾される前に証明書を与えるように促され得る。１８０８において、ＵＥは、非認証制限付き接続を通してプロビジョニングプロセスを実行する。
【０１１６】
[00138]図１９は、例示的な装置１９０２中の異なるモジュール／手段／構成要素間のデータフローを示す概念データフロー図１９００である。本装置１９０２はＵＥであり得る。装置１９０２は、データ経路１９２０を通して基地局１９５０からＭＢＭＳサービスおよび対応する制御情報（たとえば、ＳＩＢ）とを受信するように構成された受信構成要素１９０４を含む。装置１９０２はまた、データ経路１９２２を通して基地局１９５０にデータおよび／またはメッセージ（たとえば、プロビジョニング要求およびＭＢＭＳ要求）を送信するように構成された送信構成要素１９１０を含む。受信構成要素１９０４と送信構成要素１９１０とは、データ経路１９２８を通した装置１９０２の通信を協調させる（coordinate）。
【０１１７】
[00139]装置１９０２はまた、データ経路１９３４を通して受信構成要素１９０４からＭＢＭＳサービスを受信するように構成されたＭＢＭＳ構成要素１９１４を含み得る。一構成では、ＭＢＭＳ構成要素１９１４は、図１５の１５０８において上記で説明した動作を実行する。装置１９０２はまた、ＭＢＭＳサービスを取得することを決定するように構成されたＭＢＭＳ決定構成要素１９１２を含み得る。ＭＢＭＳサービスを取得する決定が行われると、ＭＢＭＳ決定構成要素１９１２は、データ経路１９３６を通してＭＢＭＳ同調構成要素１９０６にＭＢＭＳコマンドを送る。一構成では、ＭＢＭＳ決定構成要素１９１２は、図１５の１５０２において上記で説明した動作を実行する。ＭＢＭＳ同調構成要素１９０６は、装置が加入者でない第１のＭＮＯと少なくとも１つの他のＭＮＯとによって共有されたキャリアを介してＭＢＭＳサービスを受信するために第１のＭＮＯによって与えられた周波数に同調するように構成される。ＭＢＭＳ同調構成要素１９０６は、ＭＢＭＳ決定構成要素１９１２から受信されたＭＢＭＳコマンドに応答してそれの動作を実行する。ＭＢＭＳ同調構成要素１９０６は、データ経路１９３０を介して受信構成要素１９０４からシステム情報を受信し、受信されたシステム情報に基づいてそれの動作を実行する。ＭＢＭＳ同調構成要素１９０６は、データ経路１９３２を介して送信構成要素１９１０にＭＢＭＳ要求を送る。一構成では、ＭＢＭＳ同調構成要素１９０６は、図１５の１５０６においておよび図１６において上記で説明した動作を実行する。装置１９０２はまた、アプリケーションオンラインプロビジョニングを実行するように構成されたＭＢＭＳプロビジョニング構成要素１９０８を含み得る。ＭＢＭＳプロビジョニング構成要素１９０８は、データ経路１９２４を介して受信構成要素１９０４からアプリケーションプロビジョニング関連データを受信する。ＭＢＭＳプロビジョニング構成要素１９０８は、データ経路１９２６を介して、基地局１９５０に転送するための（for forwarding to）送信構成要素１９１０にプロビジョニング要求を送る。一構成では、ＭＢＭＳプロビジョニング構成要素１９０８は、図１８において上記で説明した動作を実行する。
【０１１８】
[00140]本装置は、図１５、図１６、および図１８の上述のフローチャート内のアルゴリズムのブロックの各々を実行する追加の構成要素を含み得る。したがって、図１５、図１６、および図１８の上述のフローチャート内の各ブロックは、１つの構成要素によって実行され得、装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１９】
[00141]図２０は、処理システム２０１４を採用する装置１９０２’のためのハードウェア実装形態の一例を示す図２０００である。処理システム２０１４は、バス２０２４によって概略的に表されるバスアーキテクチャを用いて実装され得る。バス２０２４は、処理システム２０１４の特定の適用例および全体的な設計制約に応じて、任意の数の相互接続バスおよびブリッジを含み得る。バス２０２４は、プロセッサ２００４によって表される１つまたは複数のプロセッサおよび／またはハードウェア構成要素と、構成要素１９０４、１９０６、１９０８、１９１０、１９１２、１９１４と、コンピュータ可読媒体／メモリ２００６とを含む様々な回路を互いにリンクする。バス２０２４はまた、タイミングソース、周辺機器、電圧調整器、および電力管理回路など、様々な他の回路をリンクし得るが、これらの回路は当技術分野においてよく知られており、したがって、これ以上説明されない。
【０１２０】
[00142]処理システム２０１４はトランシーバ２０１０に結合され得る。トランシーバ２０１０は１つまたは複数のアンテナ２０２０に結合される。トランシーバ２０１０は、送信媒体を介して様々な他の装置と通信するための手段を与える。トランシーバ２０１０は、１つまたは複数のアンテナ２０２０から信号を受信し、受信された信号から情報を抽出し、抽出された情報を処理システム２０１４、特に受信構成要素１９０４に与える。加えて、トランシーバ２０１０は、処理システム２０１４、特に送信構成要素１９１０から情報を受信し、受信された情報に基づいて、１つまたは複数のアンテナ２０２０に適用されるべき信号を生成する。処理システム２０１４は、コンピュータ可読媒体／メモリ２００６に結合されたプロセッサ２００４を含む。プロセッサ２００４は、コンピュータ可読媒体／メモリ２００６に記憶されたソフトウェアの実行を含む全体的な処理を担当する。ソフトウェアは、プロセッサ２００４によって実行されたとき、任意の特定の装置のための上記で説明した様々な機能を処理システム２０１４に実行させる。コンピュータ可読媒体／メモリ２００６はまた、ソフトウェアを実行するときにプロセッサ２００４によって操作されるデータを記憶するために使用され得る。処理システムは、構成要素１９０４、１９０６、１９０８、１９１０、１９１２、および１９１４のうちの少なくとも１つをさらに含む。それらの構成要素は、プロセッサ２００４中で動作し、コンピュータ可読媒体／メモリ２００６中に存在する／記憶されたソフトウェア構成要素であるか、プロセッサ２００４に結合された１つまたは複数のハードウェア構成要素であるか、またはそれらの何らかの組合せであり得る。処理システム２０１４は、ＵＥ３５０の構成要素であり得、メモリ３６０、ならびに／またはＴＸプロセッサ３６８、ＲＸプロセッサ３５６、およびコントローラ／プロセッサ３５９のうちの少なくとも１つを含み得る。
【０１２１】
[00143]一構成では、ワイヤレス通信のための装置１９０２／１９０２’は、ＭＢＭＳサービスを取得することを決定するための手段と、ＵＥが加入者でない第１のＭＮＯと少なくとも１つの他のＭＮＯとによって共有されたキャリアを介してＭＢＭＳサービスを受信するために第１のＭＮＯによって与えられた周波数に同調するための手段と、第１のＭＮＯと少なくともオンの他のＭＮＯ（the at least on other MNO）とによって共有されたキャリアを介して周波数上でＭＢＭＳサービスを受信するための手段とを含む。
【０１２２】
[00144]一構成では、装置１９０２／１９０２’は、第１のＭＮＯのＰＣｅｌｌを通してＭＢＭＳサービスについての制御情報を受信するための手段をさらに含み得る。そのような構成では、ＭＢＭＳサービスは、第１のＭＮＯと少なくとも１つの他のＭＮＯとによって共有されたＳＣｅｌｌを通して受信される。一構成では、装置１９０２／１９０２’は、共有ＭＢＭＳ  ＳＤＬキャリアに関連する周波数と帯域幅とを示すＳＩＢを取得するための手段をさらに含み得る。そのような構成では、同調するための手段は、取得されたＳＩＢに基づいて構成される。一構成では、装置１９０２／１９０２’は、ＳＣｅｌｌのためのＭＢＳＦＮサブフレームの割振りを示すＳＩＢを取得するための手段をさらに含み得る。そのような構成では、ＭＢＭＳサービスは、取得されたＳＩＢ中の示されたＭＢＳＦＮサブフレームに基づいて受信される。一構成では、装置１９０２／１９０２’は、ＰＣｅｌｌとＳＣｅｌｌとの間の時間オフセットを示すＳＩＢを取得するための手段をさらに含み得る。そのような構成では、ＭＢＭＳサービスは、取得されたＳＩＢ中の示された時間オフセットに基づいて受信される。一構成では、装置１９０２／１９０２’は、ＰＣｅｌｌから共有ＭＢＭＳ  ＳＤＬキャリア上でＳＩＢ１３とＰＤＣＣＨ通知とを受信するための手段をさらに含み得る。そのような構成では、ＭＢＭＳサービスは、受信されたＳＩＢ１３とＰＤＣＣＨ通知とに基づいて受信される。一構成では、装置１９０２／１９０２’は、ＩＰ接続を通して共有ＭＢＭＳ  ＳＤＬキャリアに関する情報を受信するための手段をさらに含み得る。そのような構成では、同調するための手段と受信するための手段とが、共有ＭＢＭＳ  ＳＤＬキャリアに関する受信された情報に基づいて構成される。一構成では、装置１９０２／１９０２’は、第１のＭＮＯとの制限付きユニキャスト通信を介してＭＢＭＳサービスに関連する情報を受信するための手段をさらに含み得る。そのような構成では、ＭＢＭＳサービスは、受信された情報に基づいて受信される。
【０１２３】
[00145]一構成では、装置１９０２／１９０２’は、スタンドアロン共有キャリアを介してＰＳＳとＳＳＳとを前もって受信することなしにスタンドアロン共有キャリアを介してフレームタイミングとＳＩＢとを受信するための手段をさらに含み得る。そのような構成では、ＰＳＳとＳＳＳとを前もって受信することなしにフレームタイミングとＳＩＢとを受信するための手段は、ＭＢＳＦＮ  ＩＤを受信することと、ＳＩＢとＲＳとを受信することと（ＲＳは、ＭＢＳＦＮ  ＩＤに基づいてスクランブルされる）、受信されたＳＩＢとＲＳとに基づいてフレームタイミングを確立することと、フレームタイミングを確立するとＳＩＢを復号することとを行うように構成される。
【０１２４】
[00146]一構成では、装置１９０２／１９０２’は、基地局とのＲＲＣ接続を確立するための手段と、プロビジョニングプロセスのためのＡＰＮとともに接続要求を送るための手段と、プロビジョニングプロセスのためのサービングゲートウェイまたはＰＤＮゲートウェイとの非認証制限付き接続を確立するための手段と、非認証制限付き接続を通してプロビジョニングプロセスを実行するための手段とをさらに含み得る。
【０１２５】
[00147]上述の手段は、上述の手段によって具陳された機能を実行するように構成された、装置１９０２、および／または装置１９０２’の処理システム２０１４の上述の構成要素のうちの１つまたは複数であり得る。上記で説明したように、処理システム２０１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成されたＴＸプロセッサ３６８と、ＲＸプロセッサ３５６と、コントローラ／プロセッサ３５９とであり得る。
【０１２６】
[00148]一構成では、ネットワーク（たとえば、ｅＮＢ）は、共有キャリアを介してｅＭＢＭＳサービスをプロビジョニングし、共有キャリアを取得することについての制御情報を与え、サービスを送信する。共有キャリアは、スタンドアロンキャリアまたは共有専用ＭＢＭＳキャリア（たとえば、共有ＳＤＬキャリア）であり得る。一構成では、共有キャリアは、共有無認可スペクトルキャリアであり得る。一構成では、制御情報は、共有専用ＭＢＭＳキャリアのＰＣｅｌｌへの制限付きユニキャストアクセスを介して与えられ得る。一構成では、制御情報は、キャリアによって送信されるサービスを取得するのに必要な情報を与えるＳＩＢを介して与えられ得る。一構成では、制御情報は、ＩＰ接続を介して与えられ得る。一構成では、ブロードキャストネットワークを共有するＭＮＯは、そのＭＮＯのＵＥのＳＩＭ構成を介してサービスへのアクセスを制限し得る。
【０１２７】
[00149]図２１は、ワイヤレス通信の方法のフローチャート２１００である。詳細には、本方法は、共有キャリアを介してＭＢＭＳサービスを提供することについて記述する。本方法は、ｅＮＢ（たとえば、ｅＮＢ１０２、３１０、６０６、６５６、または装置２２０２／２２０２’）によって実行され得る。２１０２において、ｅＮＢは、随意に、ＵＥからＭＢＭＳサービスについての要求を受信し、ここで、ＵＥは、ｅＮＢを動作させる第１のＭＮＯの加入者ではない。
【０１２８】
[00150]２１０４において、ｅＮＢは、第１のＭＮＯと少なくとも１つの他のＭＮＯとによって共有されたキャリアを介して第１のＭＮＯによって与えられた周波数上でＭＢＭＳサービスをプロビジョニングする。一構成では、共有キャリアは、第１のＭＮＯと少なくとも１つの他のＭＮＯとに関する共通のＳＦＮタイミングを有する。一構成では、共有キャリアは、無認可キャリアを含む。
【０１２９】
[00151]２１０６において、ｅＮＢは、ＭＢＭＳサービスを取得することについての制御情報を与える。一構成では、ｅＮＢは、第１のＭＮＯによって与えられる制限付きユニキャスト通信を介してＭＢＭＳサービスに関連する制御情報を与え得る。
【０１３０】
[00152]２１０８において、ｅＮＢは、第１のＭＮＯと少なくとも１つの他のＭＮＯとによって共有されたキャリアを介して周波数上でＭＢＭＳサービスを提供する。従来、ＵＥは、ＵＥが加入者でないＭＮＯからサービスを取得するのを防止される。一構成では、ＭＮＯは、たとえば、ＰＣｅｌｌによって与えられた制限付きユニキャストサービスを介して、およびＳＣｅｌｌによって与えられた共有キャリアを通してＭＮＯへのサブスクリプションなしにＵＥにネットワークアクセスを与えることに同意し得る。
【０１３１】
[00153]一構成では、共有キャリアは、共有ＭＢＭＳ  ＳＤＬキャリアを含む。この構成では、ＭＢＭＳサービスについての制御情報は、第１のＭＮＯのＰＣｅｌｌを通して与えられ、ＭＢＭＳサービスは、第１のＭＮＯと少なくとも１つの他のＭＮＯとによって共有されたＳＣｅｌｌを通して与えられる。ＭＢＭＳ制御情報は、ＰＣｅｌｌの共通探索空間を通して与えられる。ＭＢＭＳサービスを確立するために、ｅＮＢは、共有ＭＢＭＳ  ＳＤＬキャリアに関連する周波数と帯域幅とを示すＳＩＢ（たとえば、ＳＩＢ１３）を送信し得る。ｅＮＢは、ＳＣｅｌｌのためのＭＢＳＦＮサブフレームの割振りを示すＳＩＢ（たとえば、ＳＩＢ１３）を送信し得る。ＭＢＭＳサービスは、送信されたＳＩＢ中の示されたＭＢＳＦＮサブフレームに基づいて提供され得る。ｅＮＢは、ＰＣｅｌｌとＳＣｅｌｌとの間の時間オフセットを示すＳＩＢ（たとえば、ＳＩＢ１３）を送信し得る。ＭＢＭＳサービスは、取得されたＳＩＢ中の示された時間オフセットに基づいて提供され得る。ｅＮＢは、ＰＣｅｌｌを通して共有ＭＢＭＳ  ＳＤＬキャリア上でＳＩＢ１３とＰＤＣＣＨ通知とをさらに送信し得る。ＭＢＭＳサービスは、送信されたＳＩＢ１３とＰＤＣＣＨ通知とに基づいて提供され得る。
【０１３２】
[00154]一構成では、共有キャリアは、ＭＢＭＳサービスとＭＢＭＳサービスに関連する制御情報とを提供するためのスタンドアロン共有キャリアを含み得る。一構成では、ｅＮＢは、スタンドアロン共有キャリアを介してＰＳＳとＳＳＳとを前もって送信することなしにスタンドアロン共有キャリアを介してフレームタイミングとＳＩＢとを送信し得る。一構成では、ＰＳＳとＳＳＳとを前もって送信することなしにスタンドアロン共有キャリアを介してフレームタイミングとＳＩＢとを送信するために、ｅＮＢは、ＭＢＳＦＮ  ＩＤを受信し、固定フェームタイミング（fixed fame timing）に対してＭＢＳＦＮサブフレーム中でスタンドアロン共有キャリアを介して、ＳＩＢとＲＳとを周期的に送信し得る。ＲＳは、ＭＢＳＦＮ  ＩＤに基づいてスクランブルされる。一構成では、共有キャリアは、第１のＭＮＯと少なくとも１つの他のＭＮＯとによって実装されるＭＢＳＦＮを含み得る。
【０１３３】
[00155]図２２は、例示的な装置２２０２中の異なるモジュール／手段／構成要素間のデータフローを示す概念データフロー図２２００である。装置はｅＮＢであり得る。装置２２０２は、データ経路２２２０を通してＵＥ２２５０からＭＢＭＳサービス要求を受信するように構成された受信構成要素２２０４を含む。装置２２０２はまた、データ経路２２２２を通してＵＥ２２５０にデータおよび／またはメッセージ（たとえば、ＭＢＭＳサービスおよびＳＩＢ）を送信するように構成された送信構成要素２２１０を含む。受信構成要素２２０４と送信構成要素２２１０とは、データ経路２２２８を通した装置２２０２の通信を協調させる。
【０１３４】
[00156]装置２２０２はまた、データ経路２２３０を通して受信構成要素２２０４からＭＢＭＳサービス要求を受信するように構成され得るＭＢＭＳプロビジョニング構成要素２２０６を含み得る。ＭＢＭＳプロビジョニング構成要素２２０６は、データ経路２２３２を通して送信構成要素２２１０にＳＩＢ（たとえば、ＳＩＢ１３）を送信するように構成される。一構成では、ＭＢＭＳプロビジョニング構成要素２２０６は、図２１の２１０４および２１０６において上記で説明した動作を実行する。装置２２０２は、データ経路２２３４を通して送信構成要素２２１０にＭＢＭＳサービスを提供するように構成されたＭＢＭＳ構成要素２２０８を含み得る。一構成では、ＭＢＭＳ構成要素２２０８は、図２１の２１０８において上記で説明した動作を実行する。
【０１３５】
[00157]本装置は、図２１の上述のフローチャート中のアルゴリズムのブロックの各々を実行する追加の構成要素を含み得る。したがって、図２１の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１３６】
[00158]図２３は、処理システム２３１４を採用する装置２２０２’のためのハードウェア実装形態の一例を示す図２３００である。処理システム２３１４は、バス２３２４によって概略的に表されるバスアーキテクチャを用いて実装され得る。バス２３２４は、処理システム２３１４の特定の適用例および全体的な設計制約に応じて、任意の数の相互接続バスおよびブリッジを含み得る。バス２３２４は、プロセッサ２３０４によって表される１つまたは複数のプロセッサおよび／またはハードウェア構成要素と、構成要素２２０４、２２０６、２２０８、２２１０と、コンピュータ可読媒体／メモリ２３０６とを含む様々な回路を互いにリンクする。バス２３２４はまた、タイミングソース、周辺機器、電圧調整器、および電力管理回路など、様々な他の回路をリンクし得るが、これらの回路は当技術分野においてよく知られており、したがって、これ以上説明されない。
【０１３７】
[00159]処理システム２３１４はトランシーバ２３１０に結合され得る。トランシーバ２３１０は１つまたは複数のアンテナ２３２０に結合される。トランシーバ２３１０は、送信媒体を介して様々な他の装置と通信するための手段を与える。トランシーバ２３１０は、１つまたは複数のアンテナ２３２０から信号を受信し、受信された信号から情報を抽出し、抽出された情報を処理システム２３１４、特に受信構成要素２２０４に与える。加えて、トランシーバ２３１０は、処理システム２３１４、特に送信構成要素２２１０から情報を受信し、受信された情報に基づいて、１つまたは複数のアンテナ２３２０に印加されるべき信号を生成する。処理システム２３１４は、コンピュータ可読媒体／メモリ２３０６に結合されたプロセッサ２３０４を含む。プロセッサ２３０４は、コンピュータ可読媒体／メモリ２３０６に記憶されたソフトウェアの実行を含む全体的な処理を担当する。ソフトウェアは、プロセッサ２３０４によって実行されたとき、任意の特定の装置のための上記で説明した様々な機能を処理システム２３１４に実行させる。コンピュータ可読媒体／メモリ２３０６はまた、ソフトウェアを実行するときにプロセッサ２３０４によって操作されるデータを記憶するために使用され得る。処理システムは、構成要素２２０４、２２０６、２２０８、および２２１０のうちの少なくとも１つをさらに含む。それらの構成要素は、プロセッサ２３０４中で動作し、コンピュータ可読媒体／メモリ２３０６中に存在する／記憶されたソフトウェア構成要素であるか、プロセッサ２３０４に結合された１つまたは複数のハードウェア構成要素であるか、またはそれらの何らかの組合せであり得る。処理システム２３１４は、ｅＮＢ３１０の構成要素であり得、メモリ３７６、ならびに／またはＴＸプロセッサ３１６、ＲＸプロセッサ３７０、およびコントローラ／プロセッサ３７５のうちの少なくとも１つを含み得る。
【０１３８】
[00160]一構成では、ワイヤレス通信のための装置２２０２／２２０２’は、ＵＥからＭＢＭＳサービスについての要求を受信するための手段、ここで、ＵＥは、装置を動作させる第１のＭＮＯの加入者ではない、と、第１のＭＮＯと少なくとも１つの他のＭＮＯとによって共有されたキャリアを介して第１のＭＮＯによって与えられた周波数上でＭＢＭＳサービスをプロビジョニングするための手段と、第１のＭＮＯと少なくとも１つの他のＭＮＯとによって共有されたキャリアを介して周波数上でＭＢＭＳサービスを提供するための手段とを含む。一構成では、装置２２０２／２２０２’は、第１のＭＮＯのＰＣｅｌｌを通してＭＢＭＳサービスについての制御情報を提供するための手段、ここで、ＭＢＭＳサービスは、第１のＭＮＯと少なくとも１つの他のＭＮＯとによって共有されたＳＣｅｌｌを通して提供される、をさらに含む。
【０１３９】
[00161]上述の手段は、上述の手段によって具陳された機能を実行するように構成された、装置２２０２、および／または装置２２０２’の処理システム２３１４の上述の構成要素のうちの１つまたは複数であり得る。上記で説明したように、処理システム２３１４は、ＴＸプロセッサ３１６と、ＲＸプロセッサ３７０と、コントローラ／プロセッサ３７５とを含み得る。したがって、一構成では、上述の手段は、上述の手段によって具陳された機能を実行するように構成されたＴＸプロセッサ３１６と、ＲＸプロセッサ３７０と、コントローラ／プロセッサ３７５とであり得る。
【０１４０】
[00162]開示したプロセス／フローチャート中のブロックの特定の順序または階層は、例示的な手法の一例であることを理解されたい。設計上の選好に基づいて、プロセス／フローチャート内のブロックの特定の順序または階層は、再配置され得ることを理解されたい。さらに、いくつかのブロックは組み合わされるかまたは省略され得る。添付の方法クレームは、様々なブロックの要素を例示的な順序で提示したものであり、提示された特定の順序または階層に限定されるものではない。
【０１４１】
[00163]以上の説明は、任意の当業者が本明細書で説明した様々な態様を実施することができるようにするために提供されたものである。これらの態様に対する様々な修正は当業者には容易に明らかであり、本明細書において規定された一般的原理は他の態様に適用され得る。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。本明細書で「例示的」として記載される任意の態様は、必ずしも、他の態様よりも好ましいまたは有利であると解釈されるべきでない。別段に明記されていない限り、「いくつか（some）」という語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣとなり得、ここで、任意のそのような組合せは、Ａ、Ｂ、またはＣのうちの１つまたは複数のメンバを含み得る。本開示全体にわたって説明する種々の態様の要素に対するすべての構造的および機能的均等物は、当業者には知られているか、または後に知られるようになり、参照により本明細書に明確に組み込まれ、特許請求の範囲によって包含されることを意図する。その上、本明細書で開示されるいかなることも、そのような開示が特許請求の範囲に明示的に具陳されているのかどうかにかかわらず、公に供するものではない。「構成要素」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
【図１】
2018522446.tif 000007
【図２Ａ】
2018522446.tif 000008
【図２Ｂ】
2018522446.tif 000009
【図２Ｃ】
2018522446.tif 000010
【図２Ｄ】
2018522446.tif 000011
【図３】
2018522446.tif 000012
【図４Ａ】
2018522446.tif 000013
【図４Ｂ】
2018522446.tif 000014
【図４Ｃ】
2018522446.tif 000015
【図５Ａ】
2018522446.tif 000016
【図５Ｂ】
2018522446.tif 000017
【図６Ａ】
2018522446.tif 000018
【図６Ｂ】
2018522446.tif 000019
【図７】
2018522446.tif 000020
【図８】
2018522446.tif 000021
【図９】
2018522446.tif 000022
【図１０】
2018522446.tif 000023
【図１１】
2018522446.tif 000024
【図１２】
2018522446.tif 000025
【図１３】
2018522446.tif 000026
【図１４】
2018522446.tif 000027
【図１５】
2018522446.tif 000028
【図１６】
2018522446.tif 000029
【図１７】
2018522446.tif 000030
【図１８】
2018522446.tif 000031
【図１９】
2018522446.tif 000032
【図２０】
2018522446.tif 000033
【図２１】
2018522446.tif 000034
【図２２】
2018522446.tif 000035
【図２３】
2018522446.tif 000036
【国際調査報告】
2018522446.tif 000037
2018522446.tif 000038
2018522446.tif 000039